(57)【要約】  ２段階制御チャネルメッセージングを利用するワイヤレス通信のための方法、システムおよびデバイスが説明される。ダウンリンク制御情報（ＤＣＩ）フラグとＤＣＩフォーマットサイズインジケータとを有する２段階の２段階物理ダウンリンク制御チャネル（ＰＤＣＣＨ）のためのシステム、方法および装置が説明される。たとえば、本開示は、第１の制御チャネルメッセージを、第１の帯域幅において送信時間間隔（ＴＴＩ）の間に受信することを含み得る、ワイヤレスデバイスにおけるワイヤレス通信の例示的な方法を提示する。加えて、例示的な方法は、第２の制御チャネルメッセージがＴＴＩ内に存在するかどうかを、第１の制御チャネルメッセージ中のフラグに基づいて決定することを含み得る。さらに、例示的な方法は、第２の制御チャネルメッセージがＴＴＩに対して存在することをフラグが示す場合、第２の制御チャネルメッセージを、第２の帯域幅において受信することを含み得る。
2017539128.tif 000002
【特許請求の範囲】
【請求項１】
ワイヤレス通信の方法であって、
第１の制御チャネルメッセージを、第１の帯域幅において送信時間間隔（ＴＴＩ）の間に受信することと、
第２の制御チャネルメッセージが前記ＴＴＩ内に存在するかどうかを、前記第１の制御チャネルメッセージ中のフラグに基づいて決定することと、
前記第２の制御チャネルメッセージが前記ＴＴＩに対して存在することを前記フラグが示す場合、前記第２の制御チャネルメッセージを、第２の帯域幅において受信することと、
を備える、方法。
【請求項２】
前記第１の制御チャネルメッセージが、前記第２の制御チャネルメッセージに関連付けられた第２の制御チャネルメッセージペイロードサイズのインジケーションを含み、前記第２の制御チャネルメッセージペイロードサイズに少なくとも部分的に基づいて前記第２の制御チャネルメッセージを識別することをさらに備える、請求項１に記載の方法。
【請求項３】
前記第２の制御チャネルメッセージペイロードサイズが、前記第１の制御チャネルメッセージに関連付けられた第１の制御チャネルメッセージペイロードサイズより大きい、請求項２に記載の方法。
【請求項４】
前記第２の制御チャネルメッセージペイロードサイズの前記インジケーションが２ビットを備える、請求項２に記載の方法。
【請求項５】
前記２ビットの組合せが、１つまたは複数のペイロードサイズに対応する、請求項４に記載の方法。
【請求項６】
前記第２の制御チャネルメッセージペイロードサイズが、構成された送信モードの関数である、請求項２に記載の方法。
【請求項７】
前記第２の制御チャネルメッセージペイロードサイズの前記インジケーションが、ペイロードタイプをさらに示す、請求項２に記載の方法。
【請求項８】
前記ペイロードタイプが、リソースブロック（ＲＢ）割振りペイロードタイプ、変調およびコーディング方式（ＭＣＳ）ペイロードタイプ、チャネル状態情報（ＣＳＩ）要求ペイロードタイプ、またはそれらの組合せを備える、請求項７に記載の方法。
【請求項９】
前記ＴＴＩが、別のコンポーネントキャリア（ＣＣ）のシンボルより短い持続時間のシンボルを有する拡張コンポーネントキャリア（ｅＣＣ）のＴＴＩである、請求項１に記載の方法。
【請求項１０】
前記第１の制御チャネルメッセージが、第１の制御チャネルメッセージフォーマットを備え、
前記第２の制御チャネルメッセージが、第２の制御チャネルメッセージフォーマットを備え、前記第２の制御チャネルメッセージフォーマットが、前記第１の制御チャネルメッセージフォーマットと異なる、請求項１に記載の方法。
【請求項１１】
前記第１の制御チャネルメッセージフォーマットおよび第１の送信周期性に少なくとも部分的に基づいて、第１の複数の制御チャネルメッセージを受信することと、
前記第２の制御チャネルメッセージフォーマットおよび第２の送信周期性に少なくとも部分的に基づいて、第２の複数の制御チャネルメッセージを受信することと、
をさらに備え、前記第１の送信周期性が、前記第２の送信周期性より低い、請求項１０に記載の方法。
【請求項１２】
前記第１の制御チャネルメッセージフォーマットが、第１の更新レートに対応する情報フィールドの第１のセットを備え、
前記第２の制御チャネルメッセージフォーマットが、第２の更新レートに対応する情報フィールドの第２のセットを備える、請求項１０に記載の方法。
【請求項１３】
情報フィールドの前記第１のセットが、ハイブリッド自動再送要求（ＨＡＲＱ）情報または変調およびコーディング方式（ＭＣＳ）更新情報を備える、請求項１２に記載の方法。
【請求項１４】
情報フィールドの前記第２のセットが、ＭＣＳ情報、ランクインジケータ（ＲＩ）情報、プリコーダ情報、粗いリソースブロック（ＲＢ）割振り情報、チャネル品質インジケータ（ＣＱＩ）要求情報、または電力制御コマンド情報を備える、請求項１２に記載の方法。
【請求項１５】
前記第１の制御チャネルメッセージフォーマットの制御チャネルメッセージのペイロードサイズが、１つのＴＴＩから後続のＴＴＩまで固定される、請求項１０に記載の方法。
【請求項１６】
前記第１の帯域幅が、複数のＴＴＩにわたって固定される、請求項１に記載の方法。
【請求項１７】
前記第２の帯域幅が、前記第１の帯域幅から帯域幅オフセットだけオフセットされ、前記帯域幅オフセットが、複数のＴＴＩにわたって固定される、請求項１に記載の方法。
【請求項１８】
前記第２の制御チャネルメッセージが前記ＴＴＩ内に存在しないことを前記第１の制御チャネルメッセージが示す場合、前のＴＴＩ内に前に受信された第２の制御チャネルメッセージからの制御情報を前記ＴＴＩに対して利用することをさらに備える、請求項１に記載の方法。
【請求項１９】
ワイヤレス通信の方法であって、
第２の制御チャネルメッセージが送信時間間隔（ＴＴＩ）の間に送信されるべきかどうかに基づいて、前記ＴＴＩ内に第１の制御チャネルメッセージにフラグを追加するかどうかを決定することと、
第１の帯域幅において前記第１の制御チャネルメッセージを送信することと、
前記ＴＴＩの間に第２の帯域幅において前記第２の制御チャネルメッセージを送信することと、
を備える、方法。
【請求項２０】
前記第１の制御チャネルメッセージが、第２の制御チャネルメッセージペイロードサイズのインジケーションを含む、請求項１９に記載の方法。
【請求項２１】
前記第２の制御チャネルメッセージペイロードサイズの前記インジケーションに少なくとも部分的に基づいて、前記第２の制御チャネルメッセージを構成することをさらに備える、請求項２０に記載の方法。
【請求項２２】
前記第２の制御チャネルメッセージペイロードサイズが、前記第１の制御チャネルメッセージに関連付けられた第１の制御チャネルメッセージペイロードサイズより大きい、請求項２０に記載の方法。
【請求項２３】
前記第２の制御チャネルメッセージペイロードサイズの前記インジケーションが２ビットを備える、請求項２０に記載の方法。
【請求項２４】
前記２ビットの組合せが、１つまたは複数のペイロードサイズに対応する、請求項２３に記載の方法。
【請求項２５】
前記第２の制御チャネルメッセージペイロードサイズが、構成された送信モードの関数である、請求項２０に記載の方法。
【請求項２６】
前記第２の制御チャネルメッセージペイロードサイズの前記インジケーションが、ペイロードタイプをさらに示す、請求項２０に記載の方法。
【請求項２７】
前記ペイロードタイプが、リソースブロック（ＲＢ）割振りペイロードタイプ、変調およびコーディング方式（ＭＣＳ）ペイロードタイプ、チャネル状態情報（ＣＳＩ）要求ペイロードタイプ、またはそれらの組合せを備える、請求項２６に記載の方法。
【請求項２８】
前記ＴＴＩが、別のコンポーネントキャリア（ＣＣ）のシンボルより短い持続時間のシンボルを有する拡張コンポーネントキャリア（ｅＣＣ）のＴＴＩである、請求項１９に記載の方法。
【請求項２９】
前記第１の制御チャネルメッセージが、第１の制御チャネルメッセージフォーマットを備え、
前記第２の制御チャネルメッセージが、第２の制御チャネルメッセージフォーマットを備え、前記第２の制御チャネルメッセージフォーマットが、前記第１の制御チャネルメッセージフォーマットと異なる、請求項１９に記載の方法。
【請求項３０】
前記第１の制御チャネルメッセージフォーマットおよび第１の送信周期性に少なくとも部分的に基づいて、第１の複数の制御チャネルメッセージを送信することと、
前記第２の制御チャネルメッセージフォーマットおよび第２の送信周期性に少なくとも部分的に基づいて、第２の複数の制御チャネルメッセージを送信することと、
をさらに備え、前記第１の送信周期性が、前記第２の送信周期性より低い、請求項２９に記載の方法。
【請求項３１】
前記第１の制御チャネルメッセージフォーマットが、第１の更新レートに対応する情報フィールドの第１のセットを備え、
前記第２の制御チャネルメッセージフォーマットが、第２の更新レートに対応する情報フィールドの第２のセットを備える、請求項２９に記載の方法。
【請求項３２】
情報フィールドの前記第１のセットが、ハイブリッド自動再送要求（ＨＡＲＱ）情報または変調およびコーディング方式（ＭＣＳ）更新情報を備える、請求項３１に記載の方法。
【請求項３３】
情報フィールドの前記第２のセットが、ＭＣＳ情報、ランクインジケータ（ＲＩ）情報、プリコーダ情報、粗いリソースブロック（ＲＢ）割振り情報、チャネル品質インジケータ（ＣＱＩ）要求情報、または電力制御コマンド情報を備える、請求項３１に記載の方法。
【請求項３４】
前記第１の制御チャネルメッセージフォーマットの制御チャネルメッセージのペイロードサイズが、１つのＴＴＩから後続のＴＴＩまで固定される、請求項３１に記載の方法。
【請求項３５】
前記第１の帯域幅が、複数のＴＴＩにわたって固定される、請求項１９に記載の方法。
【請求項３６】
前記第２の帯域幅が、前記第１の帯域幅から帯域幅オフセットだけオフセットされ、前記帯域幅オフセットが、複数のＴＴＩにわたって固定される、請求項１９に記載の方法。
【請求項３７】
前記第２の制御チャネルメッセージが前記ＴＴＩ内に存在しないことを前記第１の制御チャネルメッセージが示す場合、前のＴＴＩ内に前に受信された第２の制御チャネルメッセージからの制御情報を前記ＴＴＩに対して利用することをさらに備える、請求項２１に記載の方法。
【請求項３８】
ワイヤレス通信のための装置であって、
第１の制御チャネルメッセージを、第１の帯域幅において送信時間間隔（ＴＴＩ）の間に受信するための手段と、
第２の制御チャネルメッセージが前記ＴＴＩ内に存在するかどうかを、前記第１の制御チャネルメッセージ中のフラグに基づいて決定するための手段と、
前記第２の制御チャネルメッセージが前記ＴＴＩに対して存在することを前記フラグが示す場合、前記第２の制御チャネルメッセージを、第２の帯域幅において受信するための手段と、
を備える、装置。
【請求項３９】
前記第１の制御チャネルメッセージが、前記第２の制御チャネルメッセージに関連付けられた第２の制御チャネルメッセージペイロードサイズのインジケーションを含み、前記第２の制御チャネルメッセージペイロードサイズに少なくとも部分的に基づいて前記第２の制御チャネルメッセージを識別するための手段をさらに備える、請求項３８に記載の装置。
【請求項４０】
前記第２の制御チャネルメッセージが前記ＴＴＩ内に存在しないことを前記第１の制御チャネルメッセージが示す場合、前のＴＴＩ内に前に受信された第２の制御チャネルメッセージからの制御情報を前記ＴＴＩに対して利用するための手段をさらに備える、請求項３８に記載の装置。
【請求項４１】
ワイヤレス通信のための装置であって、
第２の制御チャネルメッセージが送信時間間隔（ＴＴＩ）の間に送信されるべきかどうかに基づいて、前記ＴＴＩ内に第１の制御チャネルメッセージにフラグを追加するかどうかを決定するための手段と、
第１の帯域幅において前記第１の制御チャネルメッセージを送信するための手段と、
前記ＴＴＩの間に第２の帯域幅において前記第２の制御チャネルメッセージを送信するための手段と、
を備える、装置。
【請求項４２】
前記第１の制御チャネルメッセージが、第２の制御チャネルメッセージペイロードサイズのインジケーションを含む、請求項４１に記載の装置。
【請求項４３】
前記第２の制御チャネルメッセージペイロードサイズの前記インジケーションに少なくとも部分的に基づいて、前記第２の制御チャネルメッセージを構成するための手段をさらに備える、請求項４２に記載の装置。
【請求項４４】
ワイヤレス通信のための装置であって、
プロセッサと、
前記プロセッサと電子通信するメモリと、
前記メモリに記憶された命令と、
を備え、前記命令が、前記プロセッサによって、
第１の制御チャネルメッセージを、第１の帯域幅において送信時間間隔（ＴＴＩ）の間に受信することと、
第２の制御チャネルメッセージが前記ＴＴＩ内に存在するかどうかを、前記第１の制御チャネルメッセージ中のフラグに基づいて決定することと、
前記第２の制御チャネルメッセージが前記ＴＴＩに対して存在することを前記フラグが示す場合、前記第２の制御チャネルメッセージを、第２の帯域幅において受信することと、
を行うように実行可能である、装置。
【請求項４５】
前記第１の制御チャネルメッセージが、前記第２の制御チャネルメッセージに関連付けられた第２の制御チャネルメッセージペイロードサイズのインジケーションを含み、前記命令が、前記第２の制御チャネルメッセージペイロードサイズに少なくとも部分的に基づいて前記第２の制御チャネルメッセージを識別するように前記プロセッサによってさらに実行可能である、請求項４４に記載の装置。
【請求項４６】
前記第２の制御チャネルメッセージが前記ＴＴＩ内に存在しないことを前記第１の制御チャネルメッセージが示す場合、前記命令が、前のＴＴＩ内に前に受信された第２の制御チャネルメッセージからの制御情報を前記ＴＴＩに対して利用するように前記プロセッサによってさらに実行可能である、請求項４４に記載の装置。
【請求項４７】
ワイヤレス通信のための装置であって、
プロセッサと、
前記プロセッサと電子通信するメモリと、
前記メモリに記憶された命令と、
を備え、前記命令が、前記プロセッサによって、
第２の制御チャネルメッセージが送信時間間隔（ＴＴＩ）の間に送信されるべきかどうかに基づいて、前記ＴＴＩ内に第１の制御チャネルメッセージにフラグを追加するかどうかを決定することと、
第１の帯域幅において前記第１の制御チャネルメッセージを送信することと、
前記ＴＴＩの間に第２の帯域幅において前記第２の制御チャネルメッセージを送信することと、
を行うように実行可能である、装置。
【請求項４８】
前記第１の制御チャネルメッセージが、第２の制御チャネルメッセージペイロードサイズのインジケーションを含む、請求項４７に記載の装置。
【請求項４９】
前記命令が、前記第２の制御チャネルメッセージペイロードサイズの前記インジケーションに少なくとも部分的に基づいて、前記第２の制御チャネルメッセージを構成するように前記プロセッサによってさらに実行可能である、請求項４８に記載の装置。
【請求項５０】
ワイヤレス通信のためのコードを記憶する非一時的コンピュータ可読媒体であって、前記コードが、
第１の制御チャネルメッセージを、第１の帯域幅において送信時間間隔（ＴＴＩ）の間に受信することと、
第２の制御チャネルメッセージが前記ＴＴＩ内に存在するかどうかを、前記第１の制御チャネルメッセージ中のフラグに基づいて決定することと、
前記第２の制御チャネルメッセージが前記ＴＴＩに対して存在することを前記フラグが示す場合、前記第２の制御チャネルメッセージを、第２の帯域幅において受信することと、
を行うように実行可能である命令を備える、非一時的コンピュータ可読媒体。
【請求項５１】
前記第１の制御チャネルメッセージが、前記第２の制御チャネルメッセージに関連付けられた第２の制御チャネルメッセージペイロードサイズのインジケーションを含み、前記コードが、前記第２の制御チャネルメッセージペイロードサイズに少なくとも部分的に基づいて前記第２の制御チャネルメッセージを識別するように実行可能である命令をさらに備える、請求項５０に記載のコンピュータ可読媒体。
【請求項５２】
前記第２の制御チャネルメッセージが前記ＴＴＩ内に存在しないことを前記第１の制御チャネルメッセージが示す場合、前記コードが、前のＴＴＩ内に前に受信された第２の制御チャネルメッセージからの制御情報を前記ＴＴＩに対して利用するように実行可能である命令をさらに備える、請求項５０に記載のコンピュータ可読媒体。
【請求項５３】
ワイヤレス通信のためのコードを記憶する非一時的コンピュータ可読媒体であって、前記コードが、
第２の制御チャネルメッセージが送信時間間隔（ＴＴＩ）の間に送信されるべきかどうかに基づいて、前記ＴＴＩ内に第１の制御チャネルメッセージにフラグを追加するかどうかを決定することと、
第１の帯域幅において前記第１の制御チャネルメッセージを送信することと、
前記ＴＴＩの間に第２の帯域幅において前記第２の制御チャネルメッセージを送信することと、
を行うように実行可能である命令を備える、非一時的コンピュータ可読媒体。
【請求項５４】
前記第１の制御チャネルメッセージが、第２の制御チャネルメッセージペイロードサイズのインジケーションを含む、請求項５３に記載のコンピュータ可読媒体。
【請求項５５】
前記コードが、前記第２の制御チャネルメッセージペイロードサイズの前記インジケーションに少なくとも部分的に基づいて、前記第２の制御チャネルメッセージを構成するように実行可能な命令さらに備える、請求項５４に記載のコンピュータ可読媒体。
【発明の詳細な説明】
【関連出願の相互参照】
【０００１】
[0001]本特許出願は、２０１４年１０月３１日に出願された「ＤＵＡＬ  ＴＩＭＥ  ＳＣＡＬＥ  ＣＯＮＴＲＯＬ  ＩＮＦＯＲＭＡＴＩＯＮ  ＳＴＲＵＣＴＵＲＥ  ＦＯＲ  ＰＤＣＣＨ」と題する仮出願第６２／０７３，７００号、２０１４年１２月２３日に出願された「ＴＷＯ  ＳＴＡＧＥ  ＰＤＣＣＨ  ＷＩＴＨ  ＤＣＩ  ＦＬＡＧ  ＡＮＤ  ＤＣＩ  ＦＯＲＭＡＴ  ＳＩＺＥ  ＩＮＤＩＣＡＴＯＲ」と題する仮出願第６２／０９６，４１２号、および２０１５年１０月１３日に出願された「ＴＷＯ−ＳＴＡＧＥ  ＰＤＣＣＨ  ＷＩＴＨ  ＤＣＩ  ＦＬＡＧ  ＡＮＤ  ＤＣＩ  ＦＯＲＭＡＴ  ＳＩＺＥ  ＩＮＤＩＣＡＴＯＲ」と題する米国特許出願第１４／８８２，１６５号に対する優先権を主張するものであり、それらの全体が参照により本明細書に明確に組み込まれる。
【背景技術】
【０００２】
開示の分野
[0002]以下は、一般にワイヤレス通信に関し、より詳細には、ダウンリンク制御情報（ＤＣＩ）フラグとＤＣＩフォーマットサイズインジケータとを有する２段階物理ダウンリンク制御チャネル（ＰＤＣＣＨ）に関する。
【０００３】
関連技術の説明
[0003]ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム（たとえば、ロングタームエボリューション（ＬＴＥ（登録商標））システム）を含む。
【０００４】
[0004]例として、ワイヤレス多元接続通信システムは、場合によってはユーザ機器（ＵＥ）として知られ得る、複数の通信デバイスのための通信を各々が同時にサポートする、いくつかの基地局を含み得る。基地局は、（たとえば、基地局からＵＥへの送信のために）ダウンリンクチャネル上で、および（たとえば、ＵＥから基地局への送信のために）アップリンクチャネル上で通信デバイスと通信し得る。
【０００５】
[0005]多くの多元接続通信システムでは、制御情報は、送信時間間隔（ＴＴＩ）内の第１のシンボルまたはシンボルのグループの間に基地局によってＵＥに送信される。しかし、ＴＴＩの長さが短縮されるにつれて、制御情報を復号するためにＵＥに必要な処理オーバーヘッドは増加し得る。したがって、制御情報の送信は、そのようなオーバーヘッドの増加に対応するために修正され得る。
【発明の概要】
【０００６】
[0006]以下では、１つまたは複数の態様の基本的理解を与えるために、そのような態様の簡略化された概要を提示する。この概要は、すべての考えられる態様の包括的な概説ではなく、すべての態様の主要または重要な要素を識別することも、いずれかまたはすべての態様の範囲を定めることも意図していない。その唯一の目的は、後に提示されるより詳細な説明の導入として、１つまたは複数の態様のいくつかの概念を簡略化された形で提示することである。
【０００７】
[0007]ＤＣＩフラグとＤＣＩフォーマットサイズインジケータとを有する２段階ＰＤＣＣＨのためのシステム、方法および装置が、本開示において提示される。いくつかの例では、ダウンリンク制御情報は、いくつかのメッセージの中で送信され得、したがって、ＵＥは、ＴＴＩに対する第２の制御チャネルメッセージの存在を示すフラグと、第２の制御チャネルメッセージペイロードサイズのインジケーションとを含む第１の制御チャネルメッセージをＴＴＩの間に受信し得る。ＵＥは、第１の制御チャネルメッセージ内で示されるペイロードサイズに基づいて第２の制御チャネルメッセージを識別し得る。制御チャネルメッセージは、共通のＴＴＩ内で送信され得るか、または制御チャネルメッセージは、いくつかのＴＴＩ内で送信され得る。基地局は、第１の制御チャネルメッセージを、第２の制御チャネルメッセージペイロードサイズのインジケーションを含むように構成し得、基地局は、第２の制御チャネルメッセージを、第１の制御チャネルメッセージ中に示されるペイロードサイズに基づいて構成し得る。制御チャネルメッセージは、送信周期性のフォーマットに基づいて、または両方に基づいて構成され得る。ＵＥは、第１および第２の制御チャネルメッセージを、それらのメッセージのフォーマットもしくはメッセージの送信周期性に基づいて、または両方に基づいて識別または受信し得る。
【０００８】
[0008]たとえば、本開示は、第１の制御チャネルメッセージを第１の帯域幅においてＴＴＩの間に受信することを含み得るワイヤレス通信の例示的な方法を提示する。加えて、例示的な方法は、第２の制御チャネルメッセージがＴＴＩ内に存在するかどうかを、第１の制御チャネルメッセージ中のフラグに基づいて決定することを含み得る。さらに、例示的な方法は、第２の制御チャネルメッセージがＴＴＩに対して存在することをフラグが示す場合、第２の制御チャネルメッセージを第２の帯域幅において受信することを含み得る。
【０００９】
[0009]加えて、本開示は、第２の制御チャネルメッセージがＴＴＩの間に送信されるべきかどうかに基づいて、ＴＴＩ内に第１の制御チャネルメッセージにフラグを追加するかどうかを決定することを含み得る、ワイヤレス通信の例示的な方法を提示する。加えて、方法は、ＴＴＩの間に、第１の帯域幅において第１の制御チャネルメッセージを送信することと、第２の帯域幅において第２の制御チャネルメッセージを送信することとを含み得る。
【００１０】
[0010]本開示はさらに、第１の制御チャネルメッセージを第１の帯域幅においてＴＴＩの間に受信するための手段を含み得るワイヤレス通信のための装置を提示する。加えて、本装置は、第２の制御チャネルメッセージがＴＴＩ内に存在するかどうかを、第１の制御チャネルメッセージ中のフラグに基づいて決定するための手段を含み得る。また、例示的な装置は、第２の制御チャネルメッセージがＴＴＩに対して存在することをフラグが示す場合、第２の制御チャネルメッセージを第２の帯域幅において受信するための手段を含み得る。
【００１１】
[0011]その上、本開示は、第２の制御チャネルメッセージがＴＴＩの間に送信されるべきかどうかに基づいて、ＴＴＩ内に第１の制御チャネルメッセージにフラグを追加するかどうかを決定するための手段を含み得るワイヤレス通信のための装置を提示する。さらに、例示的な装置は、ＴＴＩの間に、第１の帯域幅において第１の制御チャネルメッセージを送信するための手段と、第２の帯域幅において第２の制御チャネルメッセージを送信するための手段とを含み得る。
【００１２】
[0012]さらなる態様では、本開示は、プロセッサと、プロセッサと電子通信しているメモリと、メモリに記憶された命令とを含むワイヤレス通信のための例示的な装置を提示する。命令は、第１の制御チャネルメッセージを第１の帯域幅においてＴＴＩの間に受信することを、プロセッサによって実行可能であり得る。命令はまた、第２の制御チャネルメッセージがＴＴＩ内に存在するかどうかを、第１の制御チャネルメッセージ中のフラグに基づいて決定することを、プロセッサによって実行可能であり得る。さらに、命令は、第２の制御チャネルメッセージがＴＴＩに対して存在することをフラグが示す場合、第２の制御チャネルメッセージを第２の帯域幅において受信することを、プロセッサによって実行可能であり得る。
【００１３】
[0013]本開示はまた、プロセッサと、プロセッサと電子通信しているメモリと、メモリに記憶された命令とを含み得るワイヤレス通信のための例示的な装置を提示する。命令は、第２の制御チャネルメッセージがＴＴＩの間に送信されるべきかどうかに基づいて、ＴＴＩ内に第１の制御チャネルメッセージにフラグを追加するかどうかを決定することを、プロセッサによって実行可能であり得る。加えて、命令は、ＴＴＩの間に、第１の帯域幅において第１の制御チャネルメッセージを送信することと、第２の帯域幅において第２の制御チャネルメッセージを送信することとを、プロセッサによって実行可能であり得る。
【００１４】
[0014]さらに、本開示は、ワイヤレス通信のためのコードを記憶する例示的な非一時的コンピュータ可読媒体を提示し、本コードは、第１の制御チャネルメッセージを第１の帯域幅においてＴＴＩの間に受信するように実行可能な命令を含む。コードはまた、第２の制御チャネルメッセージがＴＴＩ内に存在するかどうかを、第１の制御チャネルメッセージ中のフラグに基づいて決定するように実行可能な命令を含み得る。加えて、コードは、第２の制御チャネルメッセージがＴＴＩに対して存在することをフラグが示す場合、第２の制御チャネルメッセージを第２の帯域幅において受信するように実行可能な命令を含み得る。
【００１５】
[0015]その上、本開示は、ワイヤレス通信のためのコードを記憶するさらなる例示的な非一時的コンピュータ可読媒体を提示し、本コードは、第２の制御チャネルメッセージがＴＴＩの間に送信されるべきかどうかに基づいて、ＴＴＩ内に第１の制御チャネルメッセージにフラグを追加するかどうかを決定するように実行可能な命令を含む。コードはまた、ＴＴＩの間に、第１の帯域幅において第１の制御チャネルメッセージを送信することと、第２の帯域幅において第２の制御チャネルメッセージを送信することとを行うように実行可能な命令を含み得る。
【００１６】
[0016]上記では、以下の詳細な説明がより良く理解され得るように、本開示による例の特徴および技術的利点をかなり広く概説した。追加の特徴および利点が以下で説明される。開示する概念および具体例は、本開示の同じ目的を実施するための他の構造を修正または設計するための基礎として容易に利用され得る。そのような等価な構成は、添付の特許請求の範囲から逸脱しない。本明細書で開示する概念の特性、それらの編成と動作方法の両方は、関連する利点とともに、添付の図に関して以下の説明を検討するとより良く理解されよう。図の各々は、例示および説明のみのために与えられ、特許請求の範囲の限定の定義として与えられるものではない。
【００１７】
[0017]本開示の性質および利点のより一層の理解は、以下の図面を参照することによって実現され得る。添付の図では、同様のコンポーネントまたは特徴は、同一の参照ラベルを有し得る。さらに、同じタイプの様々なコンポーネントは、参照ラベルの後に、ダッシュと、それらの同様のコンポーネントの間で区別する第２のラベルとを続けることによって区別され得る。第１の参照ラベルだけが本明細書において使用される場合、その説明は、第２の参照ラベルにかかわらず、同じ第１の参照ラベルを有する同様のコンポーネントのうちのいずれにも適用可能である。
【図面の簡単な説明】
【００１８】
【図１】[0018]本開示の様々な態様による、ダウンリンク制御情報（ＤＣＩ）フォーマットサイズインジケータを有する２段階物理ダウンリンク制御チャネル（ＰＤＣＣＨ）のためのワイヤレス通信システムの一例を示す図。
【図２】[0019]本開示の様々な態様による、ＤＣＩフラグとＤＣＩフォーマットサイズインジケータとを有する２段階ＰＤＣＣＨのためのワイヤレス通信システムの一例を示す図。
【図３Ａ】[0020]本開示の様々な態様による、ＤＣＩフラグとＤＣＩフォーマットサイズインジケータとを有する、ＤＣＩフラグとＤＣＩフォーマットサイズインジケータとを有する、２段階ＰＤＣＣＨのためのフレーム構造の一例を示す図。
【図３Ｂ】[0021]本開示による、ＤＣＩフラグとＤＣＩフォーマットサイズインジケータとを有する、ＤＣＩフラグとＤＣＩフォーマットサイズインジケータとを有する、２段階ＰＤＣＣＨのための、いくつかのＴＴＩ内の制御チャネル送信の一例を示す図。
【図４】[0022]本開示の様々な態様による、ＤＣＩフラグとＤＣＩフォーマットサイズインジケータとを有する、ＤＣＩフラグとＤＣＩフォーマットサイズインジケータとを有する、２段階ＰＤＣＣＨのためのプロセスフローの一例を示す図。
【図５】[0023]本開示の様々な態様による、ＤＣＩフラグとＤＣＩフォーマットサイズインジケータとを有する、ＤＣＩフラグとＤＣＩフォーマットサイズインジケータとを有する、２段階ＰＤＣＣＨのために構成されたワイヤレスデバイスのブロック図。
【図６】[0024]本開示の様々な態様による、ＤＣＩフラグとＤＣＩフォーマットサイズインジケータとを有する、ＤＣＩフラグとＤＣＩフォーマットサイズインジケータとを有する、２段階ＰＤＣＣＨのために構成されたワイヤレスデバイスのブロック図。
【図７】[0025]本開示の様々な態様による、ＤＣＩフラグとＤＣＩフォーマットサイズインジケータとを有する、ＤＣＩフラグとＤＣＩフォーマットサイズインジケータとを有する、２段階ＰＤＣＣＨのために構成された２段階制御チャネルモジュールのブロック図。
【図８】[0026]本開示の様々な態様による、ＤＣＩフラグとＤＣＩフォーマットサイズインジケータとを有する、ＤＣＩフラグとＤＣＩフォーマットサイズインジケータとを有する、２段階ＰＤＣＣＨのために構成されたＵＥを含むシステムのブロック図。
【図９】[0027]本開示の様々な態様による、ＤＣＩフラグとＤＣＩフォーマットサイズインジケータとを有する、ＤＣＩフラグとＤＣＩフォーマットサイズインジケータとを有する、２段階ＰＤＣＣＨのために構成されたワイヤレスデバイスのブロック図。
【図１０】[0028]本開示の様々な態様による、ＤＣＩフラグとＤＣＩフォーマットサイズインジケータとを有する、ＤＣＩフラグとＤＣＩフォーマットサイズインジケータとを有する、２段階ＰＤＣＣＨのために構成されたワイヤレスデバイスのブロック図。
【図１１】[0029]本開示の様々な態様による、ＤＣＩフラグとＤＣＩフォーマットサイズインジケータとを有する２段階ＰＤＣＣＨのための基地局２段階制御チャネルモジュールのブロック図。
【図１２】[0030]本開示の様々な態様による、ＤＣＩフラグとＤＣＩフォーマットサイズインジケータとを有する２段階ＰＤＣＣＨのために構成された基地局を含むシステムのブロック図。
【図１３】[0031]本開示の様々な態様による、ＤＣＩフラグとＤＣＩフォーマットサイズインジケータとを有する２段階ＰＤＣＣＨのための方法を示すフローチャート。
【図１４】[0032]本開示の様々な態様による、ＤＣＩフラグとＤＣＩフォーマットサイズインジケータとを有する２段階ＰＤＣＣＨのための方法を示すフローチャート。
【図１５】[0033]本開示の様々な態様による、ＤＣＩフラグとＤＣＩフォーマットサイズインジケータとを有する２段階ＰＤＣＣＨのための方法を示すフローチャート。
【図１６】[0034]本開示の様々な態様による、ＤＣＩフラグとＤＣＩフォーマットサイズインジケータとを有する２段階ＰＤＣＣＨのための方法を示すフローチャート。
【図１７】[0035]本開示の様々な態様による、ＤＣＩフラグとＤＣＩフォーマットサイズインジケータとを有する２段階ＰＤＣＣＨのための方法を示すフローチャート。
【図１８】[0036]本開示の様々な態様による、ＤＣＩフラグとＤＣＩフォーマットサイズインジケータとを有する２段階ＰＤＣＣＨのための方法を示すフローチャート。
【詳細な説明】
【００１９】
[0037]添付の図面に関して以下に記載する詳細な説明は、様々な構成を説明することを意図し、本明細書で説明する概念が実施され得る唯一の構成を表す意図はない。この詳細な説明は、様々な概念の完全な理解を与えるための具体的な詳細を含む。しかしながら、これらの概念がこれらの具体的な詳細なしに実践され得ることが、当業者に明らかであろう。いくつかの事例では、そのような概念を不明瞭にしないように、よく知られている構造およびコンポーネントをブロック図の形式で示す。
【００２０】
[0038]ここで、様々な装置および方法を参照しながら電気通信システムのいくつかの態様が提示される。これらの装置および方法は、以下の詳細な説明において説明され、様々なブロック、モジュール、コンポーネント、回路、ステップ、プロセス、アルゴリズムなどによって添付の図面に示される（まとめて「要素」と呼ばれる）。これらの要素は、電子ハードウェア、コンピュータソフトウェア、またはそれらの任意の組合せを使用して実装され得る。そのような要素がハードウェアとして実装されるか、ソフトウェアとして実装されるかは、特定の適用例および全体的なシステムに課せられる設計制約に依存する。
【００２１】
[0039]例として、要素、または要素の任意の部分、または要素の任意の組合せが、１つまたは複数のプロセッサを含む「処理システム」を用いて実現される場合がある。プロセッサの例は、マイクロプロセッサ、マイクロコントローラ、デジタルシグナルプロセッサ（ＤＳＰ）、フィールドプログラマブルゲートアレイ（ＦＰＧＡ）、プログラマブル論理デバイス（ＰＬＤ）、ステートマシン、ゲート論理、個別ハードウェア回路、および本開示全体にわたって説明される様々な機能を実行するように構成される他の適切なハードウェアを含む。処理システムの中の１つまたは複数のプロセッサは、ソフトウェアを実行し得る。ソフトウェアは、ソフトウェア、ファームウェア、ミドルウェア、マイクロコード、ハードウェア記述言語と呼ばれるか、他の名称で呼ばれるかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００２２】
[0040]したがって、１つまたは複数の態様では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体は、コンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気ストレージデバイス、または、命令もしくはデータ構造の形態の所望のプログラムコードを搬送もしくは記憶するために使用することができ、コンピュータによってアクセスすることができる任意の他の媒体であり得る。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、およびフロッピー（登録商標）ディスク（disk）を含み、ここで、ディスク（disk）は、通常、データを磁気的に再生し、ディスク（disc）は、データをレーザーで光学的に再生する。上記の組合せもコンピュータ可読媒体の範囲内に含まれるべきである。
【００２３】
[0041]レガシーＬＴＥを利用するワイヤレス通信システムでは、ＴＴＩは、現在ＬＴＥフレーム構造における１サブフレームに対応する１ミリ秒の固定長を有する。各サブフレームの間、制御情報は、サブフレーム中の第１のシンボルまたはシンボルのグループの間にネットワークエンティティ（たとえば、ｅノードＢまたは基地局）によって１つまたは複数のＵＥに送信される。この制御情報は、サブフレームに対するＵＥのうちの１つまたは複数に対するダウンリンクまたはアップリンク帯域幅許可（grant）情報を含む。しかしながら、ＴＴＩの長さが短縮されるにつれて、各ＴＴＩの間に制御情報を送信することに関連する処理負荷が増加する。本開示の態様によれば、システム性能は、２状態またはデュアル時間スケール制御チャネル（たとえば、ＰＤＣＣＨ）を利用することによって強化され得る。たとえば、ＰＤＣＣＨなどの制御チャネルのペイロードは、「ファストＰＤＣＣＨ（fast PDCCH）」部と「スローＰＤＣＣＨ（slow PDCCH）」部との２つの部分に分割され得る。処理オーバーヘッドを低減するために、スローＰＤＣＣＨ部についての情報が、ファストＰＤＣＣＨ部においてＵＥに伝達され得る。
【００２４】
[0042]「ファストＰＤＣＣＨ」、「ファストＰＤＣＣＨ制御情報」、「ファスト制御チャネル」、「ファスト制御チャネルメッセージ」、「ファストチャネルフォーマット」を有するメッセージ、などと呼ばれる場合があるファストＰＤＣＣＨ部は、各ＴＴＩ内にまたはダウンリンク許可もしくはアップリンク許可ごとに更新および送信され得る情報を含み得る。ファストＰＤＣＣＨは、たとえば、ハイブリッド自動再送要求（ＨＡＲＱ：hybrid automatic repeat request）情報、変調およびコーディング方式（ＭＣＳ：modulation and coding scheme）情報における変更などを含み得る。「スローＰＤＣＣＨ」、「スロー制御チャネル」、「スローＰＤＣＣＨ制御情報」、「スロー制御チャネルメッセージ」、「スローチャネルフォーマット」を有するメッセージ、などと呼ばれ場合があるスローＰＤＣＣＨ部は、ファストＰＤＣＣＨより低い頻度で更新および送信され得る情報を含み得る。たとえば、スローＰＤＣＣＨは、２つ以上のＴＴＩごとに更新される場合がある。スローＰＤＣＣＨは、たとえば、ダウンリンクまたはアップリンク許可に対するベースラインＭＣＳまたはランクインジケータ（ＲＩ）情報、プリコーダ情報、粗いリソースブロック（ＲＢ）割振り情報、チャネル品質情報（ＣＱＩ）要求、電力制御コマンド情報、などを含み得る。
【００２５】
[0043]本開示の一態様では、ファストＰＤＣＣＨペイロードは、所与のＴＴＩ内のスローＰＤＣＣＨ部の存在を示し得る。したがって、各ＴＴＩ内で、本開示のＵＥはファストＰＤＣＣＨペイロードを復号し得、スローＰＤＣＣＨ部が復号のためにＴＴＩ内に存在するかどうかを、ファストＰＤＣＣＨペイロード中のインジケータまたは「フラグ」に基づいて決定し得る。さらに、追加の態様では、スローＰＤＣＣＨ部の帯域幅ロケーションは、ファストＰＤＣＣＨペイロードに対して固定され得る。したがって、インジケータは、スローＰＤＣＣＨの特定の帯域幅ロケーションを含み得るが、特定の帯域幅ロケーションのインジケーションは必要ではない。加えて、スローＰＤＣＣＨ部が所与のＴＴＩの間に存在しない場合、ＵＥは、ＴＴＩに対して前に受信または復号された（たとえば、直近に受信または復号された）スローＰＤＣＣＨ情報を利用し得る。言い換えれば、前のＴＴＩからのスローＰＤＣＣＨ情報は、後続のＴＴＩの各々におけるファストＰＤＣＣＨペイロードがそのＴＴＩ内のスローＰＤＣＣＨ部の存在を示さない場合、１つまたは複数の後続のＴＴＩに「持ち越され」得る。
【００２６】
[0044]本開示の分割されたＰＤＣＣＨペイロード構造を利用することによって、いくつかのＴＴＩにわたってスローＰＤＣＣＨ情報を再使用することによって、ＴＴＩ当たりに送信されるデータ量が最小化され得るので、制御情報は、比較的短いＴＴＩを利用するシステム内でより効率的に送信され得る。同様に、オーバージエアのレイテンシは、各ＴＴＩの間にＵＥによって復号されなければならないデータの引き下げられた（lowered）量が与えられれば短縮され得る。さらに、ＵＥが１つのＴＴＩ内で共通探索空間を監視する瞬間（instance）は、各ＴＴＩ内でファストＰＤＣＣＨ部の静的帯域幅ロケーションが与えられれば最小化され得る。言い換えれば、ファストＰＤＣＣＨのロケーションを制限することによって、所与のＴＴＩ内でＵＥによって実行されるブラインド復号の数が引き下げられ得る。
【００２７】
[0045]さらに、ファストＰＤＣＣＨのペイロードは、スローＰＤＣＣＨのペイロードに比較して小さくなり得る。いくつかの例では、ファストＰＤＣＣＨペイロードは１０〜１２ビットであり、ＴＴＩ間で変動しない。一方、いくつかの例では、スローＰＤＣＣＨペイロードは２０〜３０ビットであり、スローＰＤＣＣＨペイロードのサイズは構成された送信モードに依存し得る。スローＰＤＣＣＨ部のこの可変ペイロードサイズは、制御チャネル容量を改善するのを助け得る。たとえば、基地局または他のネットワークエンティティは、所与の数の制御チャネルリソースと同時にスケジュールされ得るＵＥの数を増加させ得る。しかしながら、可変ペイロードサイズは、各ＵＥに対する復号の複雑さを増加させ得る。なぜならば、追加の情報なしに、ＵＥが新しいペイロードサイズの各々に対してブラインド復号を試み得、ブラインド復号の数の増加が、復号におけるフォールスアラーム（false alarms）の数を増加させ得るからである。
【００２８】
[0046]したがって、ブラインド復号の複雑さを低減するために、本開示のファストＰＤＣＣＨペイロードは、スローＰＤＣＣＨペイロードサイズのインジケーションを含み得る。後述のように、これは、ファストＰＤＣＣＨペイロード中に組み込まれた「スローペイロードインジケータビットマップ」（ＳＰＩＢ：slow payload indicator bitmap）を含み得る。このインジケータ（たとえば、ＳＰＩＢ）は、現在のＴＴＩもしくは後続のＴＴＩまたは両方におけるスローＰＤＣＣＨペイロードのペイロードに適用され得る。したがって、ファストＰＤＣＣＨペイロードは、同じＴＴＩ内で送信されたスローＰＤＣＣＨペイロードについてのインジケータを搬送し得るか、またはファストＰＤＣＣＨペイロードは、他のＴＴＩ内のスローＰＤＣＣＨペイロードについての情報をＵＥに提供し得る。
【００２９】
[0047]以下の説明は例を与えるものであり、特許請求の範囲に記載される範囲、適用可能性、または例を限定するものではない。本開示の範囲から逸脱することなく、説明される要素の機能および構成に変更が行われ得る。様々な例は、適宜、様々な手順またはコンポーネントを省略、置換、または追加し得る。たとえば、説明される方法は、説明される順序とは異なる順序で実行され得、様々なステップが追加され、省略され、または組み合わせられ得る。また、いくつかの例に関して説明される特徴は、他の例では組み合わせられ得る。
【００３０】
[0048]図１は、本開示の様々な態様による、ワイヤレス通信システム１００の一例を示す。システム１００は、基地局１０５と、少なくとも１つのＵＥ１１５と、コアネットワーク１３０とを含む。コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５は、バックホールリンク１３２（たとえば、Ｓ１など）を通してコアネットワーク１３０とインターフェースする。基地局１０５は、ＵＥ１１５との通信のための無線構成およびスケジューリングを実行し得るか、または基地局コントローラ（図示せず）の制御下で動作し得る。様々な例では、基地局１０５は、ワイヤードまたはワイヤレス通信リンクであり得るバックホールリンク１３４（たとえば、Ｘ１など）を介して互いと直接的にまたは間接的に（たとえば、コアネットワーク１３０を通して）通信し得る。
【００３１】
[0049]基地局１０５は、１つまたは複数の基地局アンテナを介してＵＥ１１５とワイヤレスに通信し得る。基地局１０５の各々は、それぞれの地理的カバレージエリア１１０に通信カバレージを与え得る。いくつかの例では、基地局１０５は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語で呼ばれ得る。基地局１０５のための地理的カバレージエリア１１０は、カバレージエリアの一部分のみを構成するセクタに分割され得る（図示せず）。ワイヤレス通信システム１００は、異なるタイプの基地局１０５（たとえば、マクロ基地局またはスモールセル基地局）を含み得る。異なる技術のための重複する地理的カバレージエリア１１０があり得る。
【００３２】
[0050]いくつかの例では、ワイヤレス通信システム１００はロングタームエボリューション（ＬＴＥ）／ＬＴＥアドバンスト（ＬＴＥ−Ａ）ネットワークである。ＬＴＥ／ＬＴＥ−Ａネットワークでは、発展型ノードＢ（ｅＮＢ）という用語は、概して、基地局１０５を記述するために使用され得る。ワイヤレス通信システム１００は、異なるタイプのｅＮＢが様々な地理的領域にカバレージを与える、異種ＬＴＥ／ＬＴＥ−Ａネットワークであり得る。たとえば、各ｅＮＢまたは基地局１０５は、マクロセル、スモールセル、または他のタイプのセルに通信カバレージを与え得る。「セル」という用語は、コンテキストに応じて基地局、基地局に関連付けられたキャリアもしくはコンポーネントキャリア、またはキャリアもしくは基地局のカバレージエリア（たとえば、セクタなど）について説明するために使用されることができる３ＧＰＰ（登録商標）用語である。
【００３３】
[0051]マクロセルは、一般に、比較的大きい地理的エリア（たとえば、半径数キロメートル）をカバーし、ネットワークプロバイダのサービスに加入しているＵＥ１１５による無制限アクセスを可能にし得る。スモールセルは、マクロセルと比較して、マクロセルと同じまたは異なる（たとえば、ライセンスされている、ライセンスされていないなどの）周波数帯域内で動作し得る、低電力基地局である。スモールセルは、様々な例によれば、ピコセルと、フェムトセルと、マイクロセルとを含み得る。ピコセルは、たとえば、小さい地理的エリアをカバーし得、ネットワークプロバイダのサービスに加入しているＵＥ１１５による無制限アクセスを可能にし得る。フェムトセルもまた、小さい地理的エリア（たとえば、自宅）カバーし得、フェムトセルとの関連を有するＵＥ１１５（たとえば、限定加入者グループ（ＣＳＧ：closed subscriber group）中のＵＥ１１５、自宅内のユーザのためのＵＥ１１５など）による制限付きアクセスを与え得る。マクロセルのためのｅＮＢはマクロｅＮＢと呼ばれ得る。スモールセルのためのｅＮＢは、スモールセルｅＮＢ、ピコｅＮＢ、フェムトｅＮＢまたはホームｅＮＢと呼ばれ得る。ｅＮＢは、１つまたは複数の（たとえば、２つ、３つ、４つなどの）セル（たとえば、コンポーネントキャリア）をサポートし得る。
【００３４】
[0052]ワイヤレス通信システム１００は、同期動作または非同期動作をサポートし得る。同期動作の場合、基地局１０５は同様のフレームタイミングを有し得、異なる基地局１０５からの送信は時間的に近似的にアラインされ（be approximately aligned in time）得る。非同期動作の場合、基地局１０５は異なるフレームタイミングを有し得、異なる基地局１０５からの送信は時間的にアラインされないことがある。本明細書で説明する技法は、同期動作または非同期動作のいずれにも使用され得る。
【００３５】
[0053]様々な開示する例のうちのいくつかに適応し得る通信ネットワークは、階層化プロトコルスタックに従って動作するパケットベースネットワークであり得、ユーザプレーン内のデータはＩＰに基づき得る。無線リンク制御（ＲＬＣ：Radio Link Control）レイヤが、論理チャネル上で通信するためにパケットセグメンテーションおよびリアセンブリを実行し得る。媒体アクセス制御（ＭＡＣ：Medium Access Control）レイヤが、優先度ハンドリング（priority handling）と、トランスポートチャネルへの論理チャネルの多重化とを実行し得る。ＭＡＣレイヤはまた、リンク効率を改善するために、ＭＡＣレイヤにおいて再送信を行うためにハイブリッド自動再送要求（ＨＡＲＱ）を使用し得る。制御プレーンでは、無線リソース制御（ＲＲＣ）プロトコルレイヤは、ＵＥ１１５と基地局１０５との間のＲＲＣ接続の確立と構成と保守とを行い得る。ＲＲＣプロトコルレイヤはまた、ユーザプレーンデータのための無線ベアラのコアネットワーク１３０サポートのために使用され得る。物理（ＰＨＹ）レイヤにおいて、トランスポートチャネルは物理チャネルにマッピングされ得る。
【００３６】
[0054]ＵＥ１１５は、ワイヤレス通信システム１００全体にわたって分散され得、各ＵＥ１１５は固定またはモバイルであり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語を含むか、またはそのように当業者によって呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む、様々なタイプの基地局およびネットワーク機器と通信することが可能であり得る。
【００３７】
[0055]ワイヤレス通信システム１００内に示された通信リンク１２５は、ＵＥ１１５から基地局１０５へのアップリンク（ＵＬ）送信、または基地局１０５からＵＥ１１５へのダウンリンク（ＤＬ）送信を含み得る。ダウンリンク送信は順方向リンク送信と呼ばれる場合もあり、アップリンク送信は逆方向リンク送信と呼ばれる場合もある。各通信リンク１２５は１つまたは複数のキャリアを含み得、ここで、各キャリアは、上記で説明した様々な無線技術に従って変調された複数のサブキャリア（たとえば、異なる周波数の波形信号）からなる信号であり得る。各被変調信号（each modulated signal）は、異なるサブキャリア上で送られ得、制御情報（たとえば、基準信号、制御チャネルなど）、オーバーヘッド情報、ユーザデータなどを搬送し得る。通信リンク１２５は、周波数分割複信（ＦＤＤ：frequency division duplex）動作を使用して（たとえば、対スペクトルリソース（paired spectrum resources）を使用して）または時分割複信（ＴＤＤ：time division duplex）動作を使用して（たとえば、不対スペクトルリソース（unpaired spectrum resources）を使用して）双方向通信を送信し得る。ＦＤＤ（たとえば、フレーム構造タイプ１）およびＴＤＤ（たとえば、フレーム構造タイプ２）のためのフレーム構造が定義され得る。
【００３８】
[0056]ＬＴＥにおける時間間隔は、基本時間単位（たとえば、サンプリング期間、Ｔｓ＝１／３０，７２０，０００秒）の倍数単位で表され得る。時間リソースは、０から１０２３にわたるシステムフレーム番号（ＳＦＮ：system frame number）によって識別され得る１０ｍｓの長さの無線フレーム（Ｔｆ＝３０７２００・Ｔｓ）に従って編成され得る。各フレームは、０から９までの番号を付けられた１０個の１ｍｓサブフレームを含み得る。サブフレームは、さらに２つの０．５ｍｓスロットに分割され得、その各々は、（各シンボルにプリペンドされた（prepended）サイクリックプレフィックスの長さに応じて）６つまたは７つの変調シンボル期間を含んでいる。サイクリックプレフィックスを除いて、各シンボルは、２０４８個のサンプル期間を含んでいる。いくつかの場合には、サブフレームは、ＴＴＩとも呼ばれる場合がある最小スケジューリング単位であり得る。他の場合には、ＴＴＩはサブフレームより短くてもよく、（たとえば、短いＴＴＩバーストにおいてまたは短いＴＴＩを使用する選択されたコンポーネントキャリアにおいて）動的に選択され得る。後述のように、システム１００は、ＬＴＥサブフレームより持続時間が短いＴＴＩを利用し得る。たとえば、システム１００内のキャリアのＴＴＩは、数十マイクロ秒程度であり得る。
【００３９】
[0057]データは、当業者によって認識されるように、論理チャネルと、トランスポートチャネルと、物理レイヤチャネルとに分割され得る。ＤＬ物理チャネルは、ブロードキャスト情報に対する物理ブロードキャストチャネル（ＰＢＣＨ：physical broadcast channel）と、制御フォーマット情報に対する物理制御フォーマットインジケータチャネル（ＰＣＦＩＣＨ：physical control format indicator channel）と、制御およびスケジューリング情報に対するＰＤＣＣＨと、ＨＡＲＱステータスメッセージに対する物理ＨＡＲＱインジケータチャネル（ＰＨＩＣＨ：physical HARQ indicator channel）と、ユーザデータに対する物理ダウンリンク共有チャネル（ＰＤＳＣＨ：physical downlink shared channel）と、マルチキャストデータに対する物理マルチキャストチャネル（ＰＭＣＨ：physical multicast channel）とを含み得る。ＵＬ物理チャネルは、アクセスメッセージに対する物理ランダムアクセスチャネル（ＰＲＡＣＨ：physical random access channel）と、制御データに対する物理アップリンク制御チャネル（ＰＵＣＣＨ：physical uplink control channel）と、ユーザデータに対する物理アップリンク共有チャネル（ＰＵＳＣＨ：physical uplink shared channel）とを含み得る。短持続時間ＴＴＩ（たとえば、数十マイクロ秒程度のＴＴＩ）が使用される例では、制御チャネル（たとえば、ＰＤＣＣＨ）メッセージは、２段階で送信され得る。これは、ＰＤＣＣＨペイロードの分割と呼ばれることがある。したがって、ＤＬ送信は、共通のまたは異なるＴＴＩ内で送信され得る、ファストＰＤＣＣＨペイロードもしくはスローＰＤＣＣＨペイロード、または両方を含み得る。
【００４０】
[0058]ＰＤＣＣＨは、論理的に連続するリソース要素グループ（ＲＥＧ：resource element group）からなり得る制御チャネル要素（ＣＣＥ：control channel element）中でＤＣＩを搬送し得、ここで、各ＲＥＧは、リソース要素（ＲＥ：resource element）を含む。ＤＣＩは、ＤＬスケジューリング割当てと、ＵＬリソース許可と、送信方式と、ＵＬ電力制御と、ＨＡＲＱ情報と、変調およびコーディング方式（ＭＣＳ：modulation and coding scheme）と、他の情報とに関する情報を含む。ＤＣＩメッセージのサイズおよびフォーマットは、ＤＣＩによって搬送される情報のタイプおよび量に応じて異なり得る。たとえば、空間多重化がサポートされる場合、ＤＣＩメッセージのサイズは、連続周波数割振りと比較して大きい。２段階ＰＤＣＣＨでは、あるＤＣＩがファストＰＤＣＣＨとしてフォーマットされ得、他のＤＣＩがスローＰＤＣＣＨとしてフォーマットされ得る。たとえば、ファストＰＤＣＣＨペイロードは、あるレートにおいて更新される情報を含み得る第１の制御チャネルメッセージフォーマットを有し得る一方、スローＰＤＣＣＨペイロードは、異なるレートにおいて更新される第２の制御チャネルメッセージフォーマットを有し得る。第１の制御チャネルメッセージフォーマットは、他のＤＣＩより高い頻度で更新され得るＨＡＲＱ、またはＭＣＳ情報における変化に対する情報フィールドを含み得る。たとえば、第２の制御チャネルメッセージフォーマットは、ＭＣＳ、ＲＩ、プリコーダ、粗いＲＢ割振り、ＣＱＩ要求、電力制御コマンド、または同様の情報に対する情報フィールドを含み得る。
【００４１】
[0059]ＰＤＣＣＨは、複数のユーザに関連付けられたＤＣＩメッセージを搬送することができ、各ＵＥ１１５は、各ＵＥ１１５に対して意図されているＤＣＩメッセージを復号し得る。たとえば、各ＵＥ１１５は、セル無線ネットワーク一時識別子（Ｃ−ＲＮＴＩ：cell radio network temporary identity）を割り当てられ得、各ＤＣＩにアタッチされたＣＲＣビットは、Ｃ−ＲＮＴＩに基づいてスクランブルされ（be scrambled）得る。ＵＥ１１５は、ＤＣＩが検出されるまで探索空間がランダムに復号されるブラインド復号として知られるプロセスを実行することによってＤＣＩを復号しようと試み得る。ブラインド復号の間、ＵＥ１１５は、それのＣ−ＲＮＴＩを使用してすべての可能性のある（potential）ＤＣＩメッセージをデスクランブルしようと試み得、試みが成功したかどうかを決定するためにＣＲＣチェックを実行し得る。本明細書で説明する２段階ＰＤＣＣＨは、たとえば、スローＰＤＣＣＨペイロードが特定のＴＴＩ内に存在するかどうかと、存在する場合にスローＰＤＣＣＨペイロードのサイズとを所与のＵＥ１１５に示すことによって、ブラインド復号の複雑さを低減し得る。たとえば、ファストＰＤＣＣＨペイロードにおけるインジケーションは、ＵＥ１１５がスローＰＤＣＣＨペイロードをどのように解釈すべきかをＵＥ１１５に示し得る、スローＰＤＣＣＨペイロードの存在、サイズ、またはコンテンツのうちの１つまたは複数についての情報を提供し得る。
【００４２】
[0060]システム１００のいくつかの例では、基地局１０５またはＵＥ１１５は、基地局１０５とＵＥ１１５との間の通信の品質と信頼性とを改善するために、アンテナダイバーシティ方式を採用するための複数のアンテナを含み得る。追加または代替として、基地局１０５またはＵＥ１１５は、同じまたは異なるコード化データを搬送する複数の空間レイヤを送信するために、マルチパス環境を利用し得る多入力多出力（ＭＩＭＯ）技法を採用し得る。
【００４３】
[0061]システム１００は、複数のセルまたはキャリア上での動作、キャリアアグリゲーション（ＣＡ：carrier aggregation）またはマルチキャリア動作と呼ばれることがある特徴をサポートし得る。キャリアは、コンポーネントキャリア（ＣＣ）、レイヤ、チャネルなどと呼ばれる場合もある。「キャリア」、「コンポーネントキャリア」、「セル」、および「チャネル」という用語は、本明細書では互換的に使用され得る。ＵＥ１１５は、キャリアアグリゲーションのために、複数のダウンリンクＣＣと１つまたは複数のアップリンクＣＣとで構成され得る。キャリアアグリゲーションは、ＦＤＤコンポーネントキャリアとＴＤＤコンポーネントキャリアの両方とともに使用され得る。
【００４４】
[0062]キャリアは、ＣＣ、レイヤ、チャネルなどと呼ばれる場合もある。「コンポーネントキャリア」という用語は、キャリアアグリゲーション（ＣＡ）動作においてＵＥによって利用される複数のキャリアの各々を指す場合があり、システム帯域幅の他の部分とは別個であり得る。たとえば、コンポーネントキャリアは、独立して、または他のコンポーネントキャリアと組み合わせて利用されることが可能である（susceptible）、比較的狭い帯域幅のキャリアであり得る。各コンポーネントキャリアは、ＬＴＥ規格のリリース８またはリリース９に基づく分離キャリアと同じ能力を提供し得る。複数のコンポーネントキャリアは、いくつかのＵＥ１１５に、より大きい帯域幅（たとえば、より高いデータレート）を提供するためにアグリゲートされ得るか、または同時に利用され得る。したがって、個別のコンポーネントキャリアは、従来のＵＥ１１５（たとえば、ＬＴＥリリース８またはリリース９を実装するＵＥ１１５）との後方互換性があり得るが、他のＵＥ１１５（たとえば、リリース８／９後のＬＴＥバージョンを実装するＵＥ１１５）は、マルチキャリアモードにおいて複数のコンポーネントキャリアを用いて構成され得る。ＤＬのために使用されるキャリアはＤＬ  ＣＣと呼ばれることがあり、ＵＬのために使用されるキャリアはＵＬ  ＣＣと呼ばれることがある。ＵＥ１１５は、キャリアアグリゲーションのために、複数のＤＬ  ＣＣと１つまたは複数のＵＬ  ＣＣとで構成され得る。各キャリアは、制御情報（たとえば、基準信号、制御チャネルなど）、オーバーヘッド情報、データなどを送信するために使用され得る。
【００４５】
[0063]ＵＥ１１５は、複数のキャリアを利用して単一の基地局１０５と通信し得、また、異なるキャリア上で同時に複数の基地局と通信し得る。基地局１０５の各セルは、ＵＬ  ＣＣとＤＬ  ＣＣとを含み得る。基地局１０５に対する各サービングセルのカバレージエリア１１０は、異なる場合がある（たとえば、異なる周波数帯域上のＣＣは、異なる経路損失を経験する場合がある）。いくつかの例では、あるキャリアは、１次セル（ＰＣｅｌｌ）によってサービスされ得る、ＵＥ１１５のための１次キャリアまたは１次コンポーネントキャリア（ＰＣＣ）として指定される。１次セルは、ＵＥごとに上位レイヤ（たとえば、無線リソース制御（ＲＲＣ）など）によって半静的に（semi-statically）構成され得る。あるアップリンク制御情報（ＵＣＩ）、たとえば、物理アップリンク制御チャネル（ＰＵＣＣＨ）上で送信された肯定応答（ＡＣＫ）／ＮＡＣＫ、チャネル品質インジケータ（ＣＱＩ）、およびスケジューリング情報は、１次セルによって搬送される。追加のキャリアは、２次セル（ＳＣｅｌｌ）によってサービスされ得る、２次キャリア、または２次コンポーネントキャリア（ＳＣＣ）として指定され得る。２次セルは、同様に、ＵＥごとに半静的に構成され得る。場合によっては、２次セルは、１次セルと同じ制御情報を含まないかまたはそれを送信するように構成されないことがある。いくつかの例では、ＵＥ１１５のために構成されたＣＣは、ｅＣＣであり得る。たとえば、ｅＣＣは短持続時間ＴＴＩ（たとえば、数十マイクロ秒の持続時間を有するＴＴＩ）を有し得るか、または他のＣＣと異なる持続時間のシンボルを含み得る。いくつかの例では、ＤＣＩフォーマットインジケータを有する２段階ＰＤＣＣＨ、たとえばＳＰＩＢを有するファストＰＤＣＣＨペイロードおよびスローＰＤＣＣＨペイロードは、ｅＣＣがＵＥに対して構成されるとき、ｅＣＣにわたって利用される。ｅＣＣはライセンスされていないスペクトルを利用し得、場合によっては、ｅＣＣが上記で説明したレガシーＵＥ１１５に適合しないように構成され得る。
【００４６】
[0064]概して、いくつかの管轄におけるライセンスされていないスペクトルは、６００メガヘルツ（ＭＨｚ）〜６ギガヘルツ（ＧＨｚ）にわたり得る。本明細書で使用する「ライセンスされていないスペクトル」、または「共有スペクトル」という用語はしたがって、工業、科学および医療（ＩＳＭ）無線帯域を、それらの帯域の周波数にかかわらず指し得る。いくつかの例では、ライセンスされていないスペクトルとは、５ＧＨｚまたは５Ｇ帯域とも呼ばれ得るＵ−ＮＩＩ無線帯域である。対照的に、「ライセンスされているスペクトル」、または「セルラースペクトル」という用語は、本明細書において、所管官庁からの管理ライセンスを受けて、ワイヤレスネットワーク事業者によって使用されるワイヤレススペクトルを指すのに使われる場合がある。
【００４７】
[0065]ＬＴＥシステムは、ＤＬ上では直交周波数分割多元接続（ＯＦＤＭＡ）を利用し得、ＵＬ上ではシングルキャリア周波数分割多元接続（ＳＣ−ＦＤＭＡ）を利用し得る。ＯＦＤＭＡおよびＳＣ−ＦＤＭＡは、システム帯域幅を、一般にトーンまたはビンとも呼ばれる複数（Ｋ）個の直交サブキャリアに区分する。各サブキャリアはデータで変調され得る。隣接するサブキャリア間の間隔は固定であり得、サブキャリアの総数（Ｋ）はシステム帯域幅に依存し得る。たとえば、Ｋは、それぞれ、１．４、３、５、１０、１５、または２０メガヘルツ（ＭＨｚ）の（ガードバンドをもつ）対応するシステム帯域幅に対して、１５キロヘルツ（ＫＨｚ）のサブキャリア間隔の場合、７２、１８０、３００、６００、９００、または１２００に等しくなり得る。システム帯域幅はまた、サブバンドに区分され得る。たとえば、サブバンドは１．０８ＭＨｚをカバーし得、１個、２個、４個、８個、または１６個のサブバンドがあり得る。ｅＣＣは、他のＬＴＥキャリアと異なる間隔のサブキャリアを利用し得る。
【００４８】
[0066]いくつかの場合には、ＵＥ１１５は、デュアル接続性動作において非理想バックホール１３４によって接続された２つ以上の基地局１０５からのセルによってサービスされ得る。たとえば、サービング基地局１０５間の接続は、正確なタイミング調整を促すのに十分ではない場合がある。したがって、いくつかの場合には、ＵＥ１１５をサービスするセルは、複数のタイミング調整グループ（ＴＡＧ）に分割され得る。各ＴＡＧは、ＵＥ１１５が、異なるＵＬキャリアに対して異なるようにＵＬ送信を同期させ得るように、異なるタイミングオフセットに関連付けられ得る。たとえば、ｅＣＣで構成されたＵＥ１１５は、デュアル接続性動作であり得る。
【００４９】
[0067]ＨＡＲＱは、データが通信リンク１２５にわたって正確に受信されることを確実にする方法であり得る。ＨＡＲＱは、（たとえば、巡回冗長検査（ＣＲＣ：cyclic redundancy check）を使用する）誤り検出、前方誤り訂正（ＦＥＣ：forward error correction）、および再送信（たとえば、自動再送要求（ＡＲＱ））の組合せを含み得る。ＨＡＲＱは、悪い無線状態（たとえば、信号対雑音条件）において、ＭＡＣレイヤにおけるスループットを改善し得る。低レイテンシＨＡＲＱ動作は、より短い持続時間のＴＴＩを利用することによる実現され得る。２段階ＰＤＣＣＨは短持続時間ＴＴＩ展開を促し得るので、２段階ＰＤＣＣＨはまた、システムが、低レイテンシＨＡＲＱなど、短持続時間ＴＴＩの他の利点を利用することを可能にし得る。
【００５０】
[0068]本開示によれば、したがって、ＵＥ１１５は、所与のＴＴＩ内で第２の制御チャネルメッセージペイロード（たとえば、スローＰＤＣＣＨペイロード）の存在のインジケーションを含み得る第１の制御チャネルメッセージ（たとえば、ファストＰＤＣＣＨペイロード）を受信し得る。加えて、第１の制御チャネルメッセージは、第２の制御チャネルメッセージペイロードサイズのインジケーションを含み得る。ＵＥ１１５は、第１の制御チャネルメッセージの中で示されるペイロードサイズに基づいて第２の制御チャネルメッセージを識別し得る。同様に、基地局１０５は、第２の制御チャネルメッセージペイロードサイズのインジケーション内に第１の制御チャネルメッセージを構成してよく、基地局１０５は、それに応じて第２の制御チャネルメッセージを構成し得る。
【００５１】
[0069]次に、図２は、本開示の様々な態様による、ＤＣＩフラグとＤＣＩフォーマットサイズインジケータとを有する２段階ＰＤＣＣＨのためのワイヤレス通信システム２００の一例を示す。本開示の目的で、ＤＣＩフラグは、単に「フラグ」と呼ばれる場合がある。ワイヤレス通信システム２００は、図１を参照しながら上記で説明したＵＥ１１５の一例であり得るＵＥ１１５−ａを含み得る。ワイヤレス通信システム２００はまた、図１を参照しながら上記で説明した基地局１０５の一例であり得る基地局１０５−ａを含み得る。基地局１０５−ａは、ＴＴＩ内に、第１の制御チャネルメッセージ２２０中、および可能的に（potentially）第２の制御チャネルメッセージ２２５中に帯域幅許可と他の制御情報とを生成し、１つまたは複数のＵＥ１１５に送信することによって、１つまたは複数のＵＥの帯域幅割振りを制御するように構成され得る。同様に、ＵＥ１１５は、所与のＴＴＩ内に、第１の制御チャネルメッセージ２２０中、および可能的に第２の制御チャネルメッセージ２２５中の制御情報を取得するように構成され得る。
【００５２】
[0070]基地局１０５−ａは第１の制御チャネルメッセージ２２０と第２の制御チャネルメッセージ２２５とを構成し、それらを、基地局１０５−ａは通信リンク１２５−ａを介してＵＥ１１５−ａに送信し得る。第１の制御チャネルメッセージ２２０は、第２の制御チャネルメッセージ２２５がＴＴＩ内に存在するかどうかを示すフラグを含み得る。加えて、いくつかの例では、第１の制御チャネルメッセージ２２０は、第２の制御チャネルメッセージ２２５のペイロードサイズもしくはコンテンツ、または両方のインジケーションを含み得る。したがって、ＵＥ１１５−ａは、第１の制御チャネルメッセージ２２０を受信し得、ＵＥ１１５−ａは、第２の制御チャネルメッセージ２２５がＴＴＩに対して存在するかどうかを、フラグに基づいて決定し得る。加えて、ＵＥ１１５−ａは、第１の制御チャネルメッセージ２２０内で示されるペイロードサイズにある程度基づいて第２の制御チャネルメッセージ２２５を識別し得る。上記で説明したように、制御チャネルメッセージは２段階ＰＤＣＣＨであり得、ファストＰＤＣＣＨペイロードとスローＰＤＣＣＨペイロードとを含み得る。
【００５３】
[0071]いくつかの例では、フラグは、各ＴＴＩ内の各第１の制御チャネルメッセージ中に含まれる第１の制御チャネルメッセージ２２０中のシングルビット値またはマルチビット値であり得、フラグの値は、第２の制御チャネルメッセージ２２５がＴＴＩに対して存在するかどうかを示す。非限定的ないくつかの例では、フラグは、第１の制御チャネルメッセージ２２０のみに添付され得る、ここで。
【００５４】
[0072]いくつかの例では、第２の制御チャネルメッセージ２２５ペイロードサイズのインジケーションは、スローペイロードインジケータビットマップ（ＳＰＩＢ）を用いて伝達される。第１の制御チャネルメッセージ２２０ペイロードは、第２の制御チャネルメッセージ２２５ペイロードより少ないビットを含み得るが、第１の制御チャネルメッセージ２２０ペイロードのビットのうちＳＰＩＢであり得る。たとえば、第１の制御チャネルメッセージ２２０ペイロードの２ビットは、第２の制御チャネルメッセージ２２５ペイロードについてのサイズまたはコンテンツ情報を伝達するために使用され得る。
【００５５】
[0073]多様なビットマップが使用され得るが、いくつかのあり得る例を本明細書に記載する。表１の示される例では、スローＰＤＣＣＨペイロードサイズを示すために、２ビットが使用される。
【表１】
2017539128.tif 000003
【００５６】
[0074]表２の例では、スローＰＤＣＣＨペイロードサイズの範囲を示すために、２ビットが使用される。
【表２】
2017539128.tif 000004
【００５７】
[0075]次に、表３の例では、ペイロードサイズとペイロードのコンテンツについての情報の両方を示すために、ＳＰＩＢが使用される。
【表３】
2017539128.tif 000005
【００５８】
[0076]第２の制御チャネルメッセージのペイロードについての情報（たとえば、サイズまたはコンテンツ）を示すために、他のインジケータが第１の制御チャネルメッセージ中に含まれ得ることは、当業者には認識されよう。しかし、表１〜表３に示すＳＰＩＢは、ＵＥ１１５−ａがたとえばファストＰＤＣＣＨペイロードの中で受信し得る、およびＵＥ１１５−ａがスローＰＤＣＣＨペイロードを識別するために使用し得るいくつかの例を表す。
【００５９】
[0077]図３Ａは、本開示の様々な態様による、ＤＣＩフラグとＤＣＩフォーマットサイズインジケータとを有する２段階ＰＤＣＣＨのためのフレーム構造の例示的なブロック図３００を示す。図３Ａの無線フレームは、たとえば、１つまたは複数の基地局１０５と１つまたは複数のＵＥ１１５との間で、図１を参照しながら説明したワイヤレス通信システム１００の部分を使用して送信され得る。この例では、レガシーＰＣｅｌｌ送信３１０は、ダウンリンクサブフレーム３２５と、特殊サブフレーム３３０と、アップリンクサブフレーム３３５とを含む１０個の１ｍｓサブフレームを含むＴＤＤフレームを含み得る。ダウンリンクサブフレーム３２５、特殊サブフレーム３３０、およびアップリンクサブフレーム３３５は、各１ｍｓサブフレーム内に１４個のシンボルを含み得る、確立されたＬＴＥ規格によって定義されたサブフレーム構造を含み得る。いくつかの例では、ダウンリンクサブフレーム３２５は、ダウンリンク直交周波数分割多重（ＯＦＤＭ）シンボルを含み得、アップリンクサブフレームはシングルキャリア周波数分割多重（ＳＣ−ＦＤＭ）シンボルを含み得、特殊サブフレーム３３０は、アップリンクＳＣ−ＦＤＭシンボルとダウンリンクＯＦＤＭシンボルの両方を含み得る。
【００６０】
[0078]図３Ａの例では、ＳＣｅｌｌ送信３２０は、レガシーフレーム構造を、短縮されたまたは可変のＴＴＩ長さのダウンリンクシンボルとアップリンクシンボルとの間の動的切替えを可能にするＴＤＤベースのフレーム構造と置き換え得る低レイテンシ送信またはバーストモード送信を含み得る。図３Ａの例は、ＳＣｅｌｌ上の低レイテンシ送信またはバーストモード送信を示すが、そのような送信構造、ならびに本明細書で説明する様々な技法および原理は、レガシーＬＴＥフレームの１つまたは複数のバーストモードサブフレーム内などの他の送信において、他のＰＣｅｌｌ送信において、ライセンスされているもしくはライセンスされていないスペクトルなどにおいて実装され得ることが理解されよう。図３Ａの例では、ＳＣｅｌｌはｅＣＣであり得、ｅＣＣ送信と呼ばれる場合があるＳＣｅｌｌ送信３２０は、指定されたダウンリンクシンボル３４５および指定されたアップリンクシンボル３５５、ならびに特定のトラフィックニーズに基づいてアップリンクもしくはダウンリンクのシンボルとして割り振られ得るか、またはスイッチング期間として使用され得るフレキシブルなもしくは特別なシンボル３５０を含み得る。
【００６１】
[0079]指定されたダウンリンクシンボル３４５および指定されたアップリンクシンボル３５５は、たとえば、様々な無線リソース管理（ＲＲＭ）測定値と、同期と、ＣＳＩフィードバックと、ランダムアクセスチャネル（ＲＡＣＨ）と、スケジューリング要求（ＳＲ）通信とを可能にするために設けられ得る。指定されたダウンリンクシンボル３４５および指定されたアップリンクシンボル３５５は、ＤＣＩフォーマットインジケータを有する２段階ＰＤＣＣＨを有する、図１の基地局１０５などの基地局によって構成され得、図１のＵＥ１１５など、１つまたは複数のＵＥに通信され得る。
【００６２】
[0080]シンボル３４５、３５０および３５５は、基地局およびＵＥが、全無線フレームに対するアップリンクまたはダウンリンクのサブフレームの数に関して予見する必要はないが、動的におよびフレキシブルに特定のリソース割振りを決定し得るように、動的スイッチングを提供し得る。特定のＵＥに対して割り振られたリソースの数は、たとえば、ＵＥと基地局との間で送信されるべきデータの量と、データに関連付けられたレイテンシ要件またはサービス品質（ＱｏＳ）要件とについて決定され得る。いくつかの例では、シンボル３４５、３５０、および３５５の各々は、レガシーＯＦＤＭシンボルまたはＳＣ−ＦＤＭシンボルと比べて低減されたシンボル持続時間を有し得、いくつかの例では、８．３３μｓの有用なシンボル持続時間と２．０３μｓのサイクリックプレフィックス持続時間とを含む、シンボル当たり１１．３６μｓのシンボル持続時間を有し得る。したがって、ＳＣｅｌｌ送信３２０は、ＰＣｅｌｌ送信３１０のＬＴＥシンボルおよびＴＴＩより短い持続時間のシンボルを有するｅＣＣ  ＴＴＩを有し得る。シンボル３４５、３５０、および３５５は、レガシーシンボルと比べてサブキャリアに対する増大したトーン間隔を有し得、いくつかの例では、１２０ｋＨｚのトーン間隔を有し、比較的広い帯域幅（たとえば、８０ＭＨｚ）を使用する。
【００６３】
[0081]そのような短縮されたシンボル持続時間およびダウンリンク通信とアップリンク通信との間の動的スイッチングは、低減されたＡＣＫ／ＮＡＣＫターンアラウンド時間を可能にし、したがって比較的低いレイテンシのデータ送信を提供し得る。いくつかの例では、遅延敏感データ（delay sensitive data）が、ＳＣｅｌｌ送信３２０を使用して送信され得る一方で、あまり遅延敏感でない他のデータは、ＰＣｅｌｌ送信３１０を使用して送信され得る。
【００６４】
[0082]ＰＣｅｌｌ送信３１０の場合、ＵＥ１１５（図１および図２）は、ＤＬサブフレーム３２５中のＤＬ送信を受信し得、ＤＬ送信の受信に後続するｋ＋４サブフレームにおけるまたはその後の第１の利用可能なサブフレームの中で肯定応答（ＡＣＫ）が送信される第１のレイヤＨＡＲＱ方式に従ってＡＣＫを送信し得る。いくつかの場合には、ＤＬサブフレーム３２５からのサブフレームｋ＋４は、別のＤＬサブフレームであってよく、ＡＣＫ／ＮＡＣＫ３６０は、後続するＵＬサブフレーム３６５の中で送信され得る。したがって、この例では、ＤＬサブフレーム３２５と、そのサブフレームに関連するＡＣＫ／ＮＡＣＫ３６０との間に７ｍｓの遅延があり得る。再送信が適切である場合（たとえば、ＮＡＣＫを受信した後）、再送信が、後続のＤＬサブフレームに対してスケジュールされ得る。再送信タイミングは、比較的長い往復時間（ＲＴＴ）（たとえば、最小で１１ｍｓ）が生じる場合がある。ＤＬ送信に後続する４番目のサブフレームの中で肯定応答が送信される（ＦＤＤモードにおいて、ＡＣＫ／ＮＡＣＫが一貫してサブフレームｋ＋４の中で送信され得る）場合、最小ＲＴＴは８ｍｓであり得る。
【００６５】
[0083]上述のように、より短い持続時間のＴＴＩは、低レイテンシＨＡＲＱを与え得る。たとえば、バーストサブフレーム３４０内で、ＡＣＫを与えるためのレイテンシは、第１の階層レイヤにおける送信のためのレイテンシより小さくなり得る。いくつかの場合には、第２の階層レイヤを使用する送信は、第１のレイヤ送信と同様のＨＡＲＱ技法を利用し得る。すなわち、ＡＣＫはシンボルｋ＋４（ここでｋは元のシンボル送信を表す）内で、またはその後の送信のための第１の利用可能なシンボル内で提供され得る。いくつかの場合には、４以外のオフセットが、第２の階層レイヤに対して使用され得る。ＵＥ１１５は、ＤＬ送信をシンボル３４５の中で受信し得、（送信に後続する４番目のシンボルは特殊シンボル３５０であるので）ＤＬシンボル３４５の中でのＤＬ送信の受信の後の５つのシンボルであるＵＬシンボル３５５の中で、ＡＣＫ／ＮＡＣＫ３７０を提供し得る。したがって、ＵＥ１１５は、ＤＬシンボル３４５の中でのＤＬ送信の受信の後、１ｍｓ未満であるバーストサブフレーム３４０内でＤＬ送信のＡＣＫ／ＮＡＣＫ３７０を提供し得る。いくつかの例では、バーストサブフレーム３４０の中のシンボルに対するシンボル持続時間（たとえば、ＴＴＩ）は１１．３６μｓであり得、この例では、ＤＬシンボル３４５の送信の後の５６．８μｓに肯定応答が提供されることをもたらす。ｅＮＢは、次いで、必要とされる再送信をスケジューリングし得、したがって、いくつかの例では、約１００μｓ以下として得られたＲＴＴを提供し得る。
【００６６】
[0084]ＵＥ１１５がＤＬシンボル３４５を受信することに関してＡＣＫ／ＮＡＣＫ３７０が説明されるが、類似の機能がＵＬ送信について実行され得る。たとえば、ＵＥは、ＵＬシンボル３８０をｅＮＢへ送信し得、それは、ＤＬシンボル３８５の中で提供されるＡＣＫ／ＮＡＣＫ３７５を通じてｅＮＢによって肯定応答され得る。再送信が必要である場合、そのような再送信は、後続のＵＬシンボルの中でＵＥから提供され得、したがって、いくつかの例では、約１００μｓ以下として得られたＲＴＴを再びもたらし得る。したがって、バーストサブフレーム３４０の中の送信に関連したレイテンシは、著しく低減され得る。そのような低減されたレイテンシは、全体的な再送信回数を減少させ得る短縮されたＲＴＴを通じて、拡張されたデータレートを可能にし得る。
【００６７】
[0085]より短いＴＴＩ持続時間、したがって低レイテンシを促すために、バーストサブフレーム３４０を参照して述べ、ＤＣＩインジケーションを有する２段階ＰＤＣＣＨが、上記で説明しさらに図３Ｂに示すように利用され得る。図３Ｂでは、本開示による、ＤＣＩフラグとＤＣＩフォーマットサイズインジケータとを有する２段階ＰＤＣＣＨのための、いくつかのＴＴＩ３０１における制御チャネル送信の一例が示される。ＴＴＩ（ＴＴＩ１〜４）３９０、３９１、３９２および３９３の各々は、図３Ａに示すＤＬシンボル３４５の例であり得る。いくつかの例では、ＴＴＩ３９０〜３９３は、キャリア帯域幅３９４の周波数リソース上のアップリンクまたはダウンリンクに対して動的にスケジュールされ得る可変ＴＴＩである。ＴＴＩ３９０〜３９３の各々は、数十マイクロ秒の持続時間を有し得る。各ＴＴＩは、フレーム、サブフレーム、シンボル、またはデータ送信がダウンリンク（たとえば、ＰＤＳＣＨ）送信もしくはアップリンク（たとえば、ＰＵＳＣＨ）送信のうちの一方または両方の中で編成される任意の他のユニットを構成し得る。
【００６８】
[0086]基地局１０５（図１および図２）または他のネットワークエンティティは、ＤＣＩフラグと可能的にＤＣＩサイズインジケータとを有する２段階ＰＤＣＣＨを構成し得る。たとえば、基地局１０５は、ＰＤＳＣＨ３９５と、全てのＴＴＩの間に送信され得るファストＰＤＣＣＨ部（本明細書では「ファストＰＤＣＣＨペイロード」とも呼ばれる）３９６と、全てのＴＴＩより低い頻度で送信され得るスローＰＤＣＣＨ部（本明細書では「スローＰＤＣＣＨペイロード」とも呼ばれる）３９７とを構成し得る。言い換えれば、いくつかの場合には、上記で説明したように、ファストＰＤＣＣＨペイロード３９６は全てのＴＴＩの間に更新される制御情報を含み得、スローＰＤＣＣＨペイロード３９７はより少ない頻度で更新され得る。たとえば、図３Ｂに示す例に示すように、ファストＰＤＣＣＨ部３９６は、ＴＴＩ１、２、３および４（それぞれ、３９０、３９１、３９２および３９３）の間に送信され得る一方で、スローＰＤＣＣＨ部３９７は、ＴＴＩ１  ３９０およびＴＴＩ３  ３９２の間にのみ送信される。したがって、ＵＥ１１５（図１および図２）は、ファストＰＤＣＣＨペイロード３９６を１つのＴＴＩ内に受信し得、ＵＥ１１５は、スローＰＤＣＣＨペイロード３９７を同じＴＴＩ（または図３Ｂに示していないが後続のＴＴＩ）内に受信し得る。
【００６９】
[0087]さらに、ファストＰＤＣＣＨ部３９６は、ＴＴＩがスローＰＤＣＣＨ部３９７を含むかどうかを示すフラグを含み得る。たとえば、フラグは、各ＴＴＩ内のファストＰＤＣＣＨ部３９６の各々に添付され得、シングルビット値であり得、ここで「１」の値は、ＴＴＩがスローＰＤＣＣＨ部３９７を含むことを示し、「０」の値は、ＴＴＩがスローＰＤＣＣＨ部３９７を含まないことを示す。他の例では、フラグは（たとえば、「１」または「０」の値を有する）１ビットであり得るか、またはＴＴＩがスローＰＤＣＣＨ部を含む（または含まない）場合だけファストＰＤＣＣＨペイロード３９６に添付され得るマルチビットであり得る。追加の態様では、スローＰＤＣＣＨ部３９７は、ＵＥの各々においてメモリ中に記憶され得る帯域幅オフセット３９９だけファストＰＤＣＣＨ部３９６からオフセットされ得る。したがって、ファストＰＤＣＣＨペイロード３９６が、スローＰＤＣＣＨ部３９７がＴＴＩ内に存在することを示す場合、ＵＥは、帯域幅オフセット３９９を決定するためにメモリに問い合わせ、帯域幅オフセット３９９に対応する帯域幅においてスローＰＤＣＣＨ部３９７を復号し得る。
【００７０】
[0088]さらなる態様では、特定のＴＴＩ内のファストＰＤＣＣＨ部３９６が、ＴＴＩがスローＰＤＣＣＨ部３９７を含まないことを示す場合、ＵＥは、前に受信された（たとえば、直近に受信された）スローＰＤＣＣＨ部３９７中に含まれていた制御情報を利用し得る。いくつかの例では、ＵＥは、スローＰＤＣＣＨ情報を含まない今後のＴＴＩ内で使用するために、復号されたスローＰＤＣＣＨ部３９７中に含まれる制御情報を記憶し得る。言い換えれば、いくつかの例では、スローＰＤＣＣＨ部３９７中に含まれるパラメータまたはフィールドの値は、それらが後続のスローＰＤＣＣＨ部３９７によって更新されるまで引き続き有効であり得る。たとえば、ＴＴＩ２  ３９１では、ファストＰＤＣＣＨ部３９６は、ＴＴＩがスローＰＤＣＣＨ部を含まないことを示す。したがって、ＵＥは、ＴＴＩ１  ３９０のスローＰＤＣＣＨ部３９７の中で取得され、復号された制御情報を利用し得る。その後、ＴＴＩ３  ３９２では、ファストＰＤＣＣＨ部３９６は、ＴＴＩ３  ３９２がスローＰＤＣＣＨ部３９７を含むことを示す。したがって、ＵＥは、スローＰＤＣＣＨ部３９７のリソース（すなわち、帯域幅）ロケーションを決定するために、オフセット３９９を使用することによってＴＴＩ３  ３９２内のスローＰＤＣＣＨ部３９７を取得し、復号し得る。ＴＴＩ３  ３９２のスローＰＤＣＣＨ部３９７が復号されると、その中の制御情報を、ＵＥは、ＴＴＩ３  ３９２のダウンリンク送信のために使用し得、ＵＥのメモリ中の前に受信された（たとえば、直近に受信された）スローＰＤＣＣＨ制御情報を、ＴＴＩ３  ３９２のスローＰＤＣＣＨ部３９７の制御情報と置き換え得る。ＴＴＩ２  ３９１と同様に、ＴＴＩ４  ３９３のファストＰＤＣＣＨ部３９６は、ＴＴＩがスローＰＤＣＣＨ部を含まないことを示す。したがって、ＵＥは、ＴＴＩ３  ３９２のスローＰＤＣＣＨ部３９７の中で取得され、復号された制御情報を利用し得る。
【００７１】
[0089]ファストＰＤＣＣＨ部３９６は、表１〜表３を参照しながら上記で説明したように、ＳＰＩＢなど、スローＰＤＣＣＨ部３９７のサイズもしくはコンテンツ、または両方のインジケーションを含み得る。たとえば、ファストＰＤＣＣＨ部３９６は、スローＰＤＣＣＨ部３９７の１つまたは複数のペイロードサイズに対応する２ビットを含み得る。ファストＰＤＣＣＨペイロード３９６のサイズは固定され得る一方で、スローＰＤＣＣＨペイロード３９７のサイズは、構成された送信モードに基づいて、またはそのモードの関数として変化する。したがって、上記で説明したように、いくつかのＤＣＩフォーマットは、スローＰＤＣＣＨ部３９７に対して異なるペイロードサイズをもたらし得る。
【００７２】
[0090]例として、ファストＰＤＣＣＨ部３９６は、ＴＴＩごとに更新することを必要とする場合がある制御情報を含む、（たとえば、スローＰＤＣＣＨ部３９７のペイロードと比較して）相対的に小さいペイロードを含み得る。加えて、ファストＰＤＣＣＨ部３９６は、（たとえば、いくつかの例では１６ビット長を有する）巡回冗長検査（ＣＲＣ）部を含み得る。いくつかの場合には、ファストＰＤＣＣＨ部３９６は、それぞれのＴＴＩ内でファストＰＤＣＣＨ部３９６の各々からＰＤＳＣＨ３９５への破線によって図３Ｂ内で表される、特定のＵＥ１１５に対するＴＴＩのリソースの許可を含み得る。たとえば、許可は、各ＴＴＩ内の特定のＵＥに対するＰＤＳＣＨ３９５に対するダウンリンク許可またはリソース割振りを含み得る。加えて、ファストＰＤＣＣＨ部３９６は、ＳＰＩＢ、ＨＡＲＱ情報、ＭＣＳ変更情報、などを含み得る。
【００７３】
[0091]スローＰＤＣＣＨ部３９７は、ファストＰＤＣＣＨ部３９６より低い頻度で更新される情報を含む、（たとえば、ファストＰＤＣＣＨ部３９６のペイロードと比較して）相対的に大きいペイロードを含み得る。スローＰＤＣＣＨ部３９７はまた、ＭＣＳ、ＲＩ、プリコーダ電力制御コマンド、粗いＲＢ割振り、ＣＱＩ要求情報、などのうちの１つまたは複数を含み得る。いくつかの場合には、スローＰＤＣＣＨ部３９７は、ＣＲＣ部または許可情報（破線の矢印で示す）、などを含む。追加または代替として、スローＰＤＣＣＨ部３９７は、ＵＥがファストＰＤＣＣＨ部３９６に対して監視すべきアグリゲーションレベルに関する情報を含み得る。
【００７４】
[0092]したがって、ＵＥ１１５は、特定のＴＴＩ内の第２の制御チャネルメッセージ（たとえば、スローＰＤＣＣＨ）の存在を示すフラグと、可能的に第２の制御チャネルメッセージペイロード（たとえば、スローＰＤＣＣＨペイロード３９７）サイズのインジケーションとを含み得る、第１の制御チャネルメッセージ（たとえば、ファストＰＤＣＣＨペイロード３９６）を受信し得る。ＵＥ１１５は、第１の制御チャネルメッセージの中で示されるペイロードサイズに基づいて第２の制御チャネルメッセージを識別し得る。同様に、基地局１０５は、第２の制御チャネルメッセージペイロードサイズのインジケーション内に第１の制御チャネルメッセージを構成し得、基地局１０５は、それに応じて第２の制御チャネルメッセージを構成し得る。
【００７５】
[0093]図４は、本開示の様々な態様による、ＤＣＩフラグとＤＣＩフォーマットサイズインジケータとを有する２段階ＰＤＣＣＨのためのプロセスフロー４００の一例を示す。プロセスフロー４００は、図１および図２を参照しながら上記で説明したＵＥ１１５の一例であり得るＵＥ１１５−ｂを含み得る。プロセスフロー４００はまた、図１および図２を参照しながら上記で説明した基地局１０５の一例であり得る基地局１０５−ｂを含み得る。
【００７６】
[0094]ブロック４０５において、基地局１０５−ｂは、第２の制御チャネルメッセージがＴＴＩの間にＵＥ１１５−ｂに送信されるべきかどうかに基づいて、ＴＴＩ内に第１の制御チャネルメッセージにフラグを追加するかどうかを決定し得る。一態様では、基地局１０５−ｂは、第２の制御チャネルメッセージに関連付けられた制御情報に対する更新が利用可能であるかどうかに基づいて、第２の制御チャネルメッセージがＵＥ１１５−ｂに送信されるべきかどうかを決定するように構成され得る。加えて、ブロック４０８において、基地局１０５−ｂは、フラグと、いくつかの例では第２の制御チャネルメッセージペイロードサイズのインジケーションとを含むように第１の制御チャネルメッセージを設定し得る。次いで、ブロック４１０において破線で示される随意の態様では、基地局１０５−ｂは、第１の制御チャネルメッセージの中に示された、または示されるべきペイロードサイズに基づいて第２の制御チャネルメッセージを設定し得る。これは、ＤＣＩフラグとＤＣＩフォーマットインジケーションとを有する２段階ＰＤＣＣＨと呼ばれる場合があり、または分割ＰＤＣＣＨと呼ばれる場合もある。
【００７７】
[0095]ステップ４１５において、基地局１０５−ｂは、ＴＴＩ内で第１の制御チャネルメッセージを送信し得る。ブロック４２０において、基地局１０５−ｂは、同じＴＴＩ（または後続のＴＴＩ）内で第２の制御チャネルメッセージを送信し得る。いくつかの例では、メッセージはＴＴＩ内で送信され、ｅＣＣは、別のコンポーネントキャリアＣＣのシンボルより短い持続時間のシンボルを有する。いくつかの例では、第１の制御チャネルメッセージは第１の制御チャネルメッセージフォーマットを有し、第２の制御チャネルメッセージは、第１の制御チャネルメッセージフォーマットとは異なる第２の制御チャネルメッセージフォーマットを有する。
【００７８】
[0096]いくつかの例では、第１の制御チャネルメッセージは、同じフォーマットの複数のメッセージのうちの１つである。図３Ｂを参照しながら上記で説明したように、第１の制御チャネルメッセージは、すべてまたはほぼすべてのＴＴＩ内で送信されたファストＰＤＣＣＨであり得る。したがって、基地局１０５−ｂは、第１の制御チャネルメッセージフォーマット（たとえば、ファストＰＤＣＣＨ）のそれら、および第１の送信周期性に従って送信され、そのことは次いで、それらが含むＤＣＩに基づくという事実に基づいて、第１の複数の制御チャネルメッセージを送信し得る。同様に、図３Ｂを参照しながら説明したように、第２の制御チャネルメッセージは、同じフォーマットの第２の複数のメッセージのうちの１つ、たとえばスローＰＤＣＣＨであり得る。したがって、基地局１０５−ｂは、第２の複数の制御チャネルメッセージが第２の制御チャネルメッセージフォーマット（たとえば、スローＰＤＣＣＨ）からなり、第２の送信周期性に従って送信されるという事実に基づいて第２の複数の制御チャネルメッセージを送信し得、第２の送信周期性は、第２の複数の制御チャネルメッセージが含むＤＣＩに基づき、第１の送信周期性より低い頻度である。言い換えれば、第１の送信周期性は、第２の送信周期性の周期性より低くてよい。
【００７９】
[0097]いくつかの例では、第１の制御チャネルメッセージフォーマットは、第１の更新レートに対応する情報フィールドの第１のセットを含み、第２の制御チャネルメッセージフォーマットは、第２の更新レートに対応する情報フィールドの第２のセットを含む。たとえば、情報フィールドの第１のセットは、ＨＡＲＱ情報もしくはＭＣＳ更新情報（たとえば、デルタＭＣＳ情報）などを含み得る一方、情報フィールドの第２のセットは、ＭＣＳ情報、ＲＩ情報、プリコーダ情報、粗いＲＢ割振り情報、ＣＱＩ要求情報、または電力制御コマンド情報を含み得る。
【００８０】
[0098]上記で説明したように、第１の制御チャネルメッセージフォーマットの制御チャネルメッセージのペイロードサイズは、１つのＴＴＩから後続のＴＴＩまで固定される。いくつかの例では、第２の制御チャネルサイズのインジケーションは、２ビットであり得る。２ビットの組合せは、１つまたは複数のペイロードサイズに対応し得る。追加または代替として、第２の制御チャネルメッセージのペイロードは、第１の制御チャネルメッセージのペイロードより多いビットを含む。いくつかの例では、第２の制御チャネルメッセージペイロードサイズは、構成された送信モードの関数である。いくつかの例では、第２の制御チャネルメッセージペイロードサイズのインジケーションはさらに、ペイロードタイプを示す。いくつかの例では、ペイロードタイプは、ＲＢ割振りペイロードタイプ、ＭＣＳペイロードタイプ、ＣＳＩ要求ペイロードタイプ、またはそれらの組合せを含む。
【００８１】
[0099]ブロック４２５において、ＵＥ１１５−ｂは、第１の帯域幅においておよびＴＴＩの間に、第２の制御チャネルメッセージの存在を示すフラグおよび／または第２の制御チャネルメッセージペイロードサイズのインジケーションを含み得る第１の制御チャネルメッセージを受信し得る。ブロック４２７において、ＵＥ１１５−ｂは、第２の制御チャネルメッセージがＴＴＩ内に存在するかどうかを、第１の制御チャネルメッセージ中のフラグに基づいて決定し得る。さらなる随意の（ブロック４３０において破線で示される）態様では、ブロック４３０において、ＵＥ１１５−ｂは、第１の制御チャネルメッセージの中に示されたペイロードサイズに基づいて第２の制御チャネルメッセージを識別し得る。ブロック４３５において、ＵＥ１１５−ｂは、第１の制御チャネルメッセージがステップ４１５において受信される間のＴＴＩと同じＴＴＩ（または後続のＴＴＩ）内に、第２の制御チャネルメッセージを受信し得る。または、第１の制御チャネルメッセージ中にフラグが存在しないか、または第２の制御チャネルメッセージがＴＴＩに対して存在しないことを示す値をフラグが有する場合の例では、ＵＥ１１５−ｂは、第２の制御チャネルメッセージをまったく受信しないことがある。
【００８２】
[0100]次に図５を参照すると、本開示の様々な態様による、ＤＣＩフラグとＤＣＩフォーマットサイズインジケータとを有する２段階ＰＤＣＣＨのために構成されたワイヤレスデバイス５００のブロック図が示される。ワイヤレスデバイス５００は、図１〜図４を参照しながら説明したＵＥ１１５の態様の一例であり得る。ワイヤレスデバイス５００は、受信機５０５、２段階制御チャネルモジュール５１０、または送信機５１５を含み得る。ワイヤレスデバイス５００はまた、プロセッサを含み得る。これらのコンポーネントの各々は互いと通信し得る。
【００８３】
[0101]受信機５０５は、パケット、ユーザデータ、または様々な情報チャネル（たとえば、制御チャネル、データチャネル、およびＤＣＩフラグとＤＣＩフォーマットサイズインジケータとを有する２段階ＰＤＣＣＨに関する情報、など）に関連する制御情報などの情報を受信し得る。情報は、２段階制御チャネルモジュール５１０に、およびワイヤレスデバイス５００の他のコンポーネントに受け渡され得る。いくつかの例では、受信機５０５は、たとえば第１の帯域幅において、ＴＴＩ内で第１の制御チャネルメッセージを受信し得る。受信機５０５は、ＴＴＩまたは後続のＴＴＩ内で第２の制御チャネルメッセージを受信し得る。上記で説明したように、ＴＴＩは、ＰＣＣなど、別のＣＣのシンボルより短い持続時間のシンボルを有するｅＣＣのＴＴＩであり得る。
【００８４】
[0102]いくつかの例では、受信機５０５は、第１の制御チャネルメッセージフォーマットおよび第１の送信周期性に基づいて第１の複数の制御チャネルメッセージを受信し得る。いくつかの例では、受信機５０５は、第２の制御チャネルメッセージフォーマットおよび第２の送信周期性に基づいて第２の複数の制御チャネルメッセージを受信し得、ここでいくつかの例では、第１の送信周期性は、第２の送信周期性の周期性より低い。すなわち、いくつかの例では、受信機５０５は、いくつかのＤＣＩフィールドを有し、第１の周波数において送信されるファストＰＤＣＣＨを受信し得、受信機５０５は、異なるＤＣＩフィールドを有し、異なる周波数（たとえば、第１の周波数と異なる第２の周波数）において送信されるスローＰＤＣＣＨを受信し得る。
【００８５】
[0103]さらに、いくつかの例では、受信機５０５は、１つまたは複数のＴＴＩの間の通信に関連付けられたアグリゲーションレベルを（たとえば、基地局から）受信し得る。このアグリゲーションレベルは、（たとえば、受信機５０５を介する）ワイヤレスデバイス１５００が、第１の制御チャネルメッセージを取得するためにＴＴＩ内で復号することを試みるべき帯域幅またはリソース要素ロケーションをワイヤレスデバイス５００に示し得る。言い換えれば、アグリゲーションレベルは、第１の制御チャネルメッセージが受信され、ワイヤレスデバイス１５００によって復号され得る１つまたは複数の候補帯域幅またはリソース要素を提供し得る。このアグリゲーションレベルを利用することによって、ワイヤレスデバイス１５００は、レガシーＬＴＥと比べて、制御情報を復号するために必要なブラインド復号の数を低減し得る。
【００８６】
[0104]２段階制御チャネルモジュール５１０は、受信機５０５とともに、ＴＴＩ内に第２の制御チャネルメッセージの存在を示すフラグおよび／または第２の制御チャネルメッセージペイロードサイズのインジケーションを含む第１の制御チャネルメッセージをＴＴＩ内に受信し得る。したがって、２段階制御チャネルモジュール５１０は、第２の制御チャネルメッセージが第１の制御チャネルメッセージ中で示されるペイロードサイズに基づいて第２の制御チャネルメッセージを識別するかどうかを、第１の制御チャネルメッセージ中のフラグ（または第１の制御チャネルメッセージ中のフラグの欠如）に基づいて決定し得る。
【００８７】
[0105]送信機５１５は、ワイヤレスデバイス５００の他のコンポーネントから受信された信号を送信し得る。いくつかの例では、送信機５１５は、トランシーバモジュールにおいて受信機５０５とコロケートされ得る。送信機５１５は単一のアンテナを含み得るか、または送信機５１５は複数のアンテナを含み得る。
【００８８】
[0106]図６は、本開示の様々な態様による、ＤＣＩフラグとＤＣＩフォーマットサイズインジケータとを有する２段階ＰＤＣＣＨのためのワイヤレスデバイス６００のブロック図を示す。ワイヤレスデバイス６００は、図１〜図５を参照しながら説明したワイヤレスデバイス５００またはＵＥ１１５の態様の一例であり得る。ワイヤレスデバイス６００は、受信機５０５−ａ、２段階制御チャネルモジュール５１０−ａ、または送信機５１５−ａを含み得る。ワイヤレスデバイス６００はまた、プロセッサを含み得る。これらのコンポーネントの各々は互いと通信し得る。２段階制御チャネルモジュール５１０−ａはまた、ファスト制御チャネルモジュール６０５とスロー制御チャネルモジュール６１０とを含み得る。
【００８９】
[0107]受信機５０５−ａは、２段階制御チャネルモジュール５１０−ａに、およびワイヤレスデバイス６００の他のコンポーネントに受け渡され得る情報を受信し得る。２段階制御チャネルモジュール５１０−ａは、図５を参照しながら上記で説明した動作を実行し得る。送信機５１５−ａは、ワイヤレスデバイス６００の他のコンポーネントから受信された信号を送信し得る。
【００９０】
[0108]ファスト制御チャネルモジュール６０５は、第２の制御チャネルメッセージがＴＴＩ内に存在するかどうかを示すフラグを含み得る第１の制御チャネルメッセージをＴＴＩの間に受信し得る。加えて、図２〜図４を参照しながら上記で説明したように、第１の制御チャネルメッセージは、第２の制御チャネルメッセージペイロードサイズのインジケーションを含み得る。スロー制御チャネルモジュール６１０は、図２〜図４を参照しながら上記で説明したように、第１の制御チャネルメッセージ中に示されるペイロードサイズにすべてまたは部分的に基づいて第２の制御チャネルメッセージを識別し得る。
【００９１】
[0109]図７は、本開示の様々な態様による、ＤＣＩフラグとＤＣＩフォーマットサイズインジケータとを有する２段階ＰＤＣＣＨのための２段階制御チャネルモジュール５１０−ｂのブロック図７００を示す。２段階制御チャネルモジュール５１０−ｂは、図５および図６を参照しながら説明した２段階制御チャネルモジュール５１０の態様の一例であり得る。２段階制御チャネルモジュール５１０−ｂは、ファスト制御チャネルモジュール６０５−ａとスロー制御チャネルモジュール６１０−ａとを含み得る。これらのモジュールの各々は、図６を参照しながら上記で説明した機能を実行し得る。２段階制御チャネルモジュール５１０−ｂはまた、ファストフォーマットモジュール７０５と、スローフォーマットモジュール７１０と、ファスト情報モジュール７１５と、スロー情報モジュール７２０とを含み得る。これらのモジュールの各々は、互いと通信し得る。
【００９２】
[0110]ファストフォーマットモジュール７０５は、図２〜図４を参照しながら上記で説明したように、第１の制御チャネルメッセージフォーマットを有する第１の制御チャネルメッセージを識別し、受信するように構成され得る。いくつかの例では、第１の制御チャネルメッセージフォーマットを有する制御チャネルメッセージのペイロードサイズは、１つのＴＴＩから後続のＴＴＩまで固定され得る。追加または代替として、第２の制御チャネルサイズの第１の制御チャネルメッセージ中のインジケーションは、２ビットであり得る。いくつかの例では、２ビットの組合せは、１つまたは複数のペイロードサイズに対応する。
【００９３】
[0111]スローフォーマットモジュール７１０は、図２〜図４を参照しながら上記で説明したように、第２の制御チャネルメッセージフォーマットを有する第２の制御チャネルメッセージを識別および受信するように構成されてよく、第２の制御チャネルメッセージフォーマットは、第１の制御チャネルメッセージフォーマットと異なる場合がある。いくつかの例では、第２の制御チャネルメッセージのペイロードは、第１の制御チャネルメッセージのペイロードより多いビットを有する。第２の制御チャネルメッセージペイロードサイズは、たとえば、構成された送信モードの関数であり得る。
【００９４】
[0112]ファスト情報モジュール７１５は、図２〜図４を参照しながら上記で説明したように、第１の更新レートに対応する情報フィールドの第１のセットを含み得る第１の制御チャネルメッセージフォーマット（たとえば、ファストＰＤＣＣＨ）を有するメッセージを識別およびパースする（parse）ように構成され得る。情報フィールドの第１のセットは、たとえば、ＨＡＲＱ情報またはＭＣＳ更新情報を含み得る。
【００９５】
[0113]スロー情報モジュール７２０は、図２〜図４を参照しながら上記で説明したように、第２の更新レートに対応する情報フィールドの第２のセットを含み得る第２の制御チャネルメッセージフォーマット（たとえば、スローＰＤＣＣＨ）を有するメッセージを識別およびパースするように構成され得る。情報フィールドの第２のセットは、たとえば、ＭＣＳ情報、ＲＩ情報、プリコーダ情報、粗いＲＢ割振り情報、ＣＱＩ要求情報、または電力制御コマンド情報を含み得る。追加または代替として、第２の制御チャネルメッセージペイロードサイズのインジケーションはさらに、ペイロードタイプを示し得る。いくつかの例では、ペイロードタイプは、ＲＢ割振りペイロードタイプ、ＭＣＳペイロードタイプ、ＣＳＩ要求ペイロードタイプ、またはそれらの組合せを含む。
【００９６】
[0114]ワイヤレスデバイス５００、ワイヤレスデバイス６００、または２段階制御チャネルモジュール５１０−ｂのコンポーネントはそれぞれ、適用可能な機能の一部または全部をハードウェアで実行するように適応された少なくとも１つの特定用途向け集積回路（ＡＳＩＣ）を用いて、個々にまたはまとめて実装され得る。代替的に、それらの機能は、１つまたは複数の他の処理ユニット（またはコア）によって、少なくとも１つのＩＣ上で実行され得る。他の実施形態では、当技術分野で知られている任意の様式でプログラムされ得る他のタイプの集積回路（たとえば、ストラクチャード／プラットフォームＡＳＩＣ、フィールドプログラマブルゲートアレイ（ＦＰＧＡ）、または別のセミカスタムＩＣ）が使用され得る。各ユニットの機能はまた、全体的または部分的に、１つまたは複数の汎用または特定用途向けプロセッサによって実行されるようにフォーマットされた、メモリに組み込まれた命令を用いて実装され得る。
【００９７】
[0115]図８は、本開示の様々な態様による、ＤＣＩフラグとＤＣＩフォーマットサイズインジケータとを有する２段階ＰＤＣＣＨのために構成されたＵＥ１１５を含むシステム８００の図を示す。システム８００は、図１、図２および図５〜図７を参照しながら説明したワイヤレスデバイス５００、ワイヤレスデバイス６００またはＵＥ１１５の一例であり得る、ＵＥ１１５−ｃを含み得る。ＵＥ１１５−ｃは、図５〜図７を参照しながら説明した２段階制御チャネルモジュール５１０の一例であり得る、２段階制御チャネルモジュール８１０を含み得る。ＵＥ１１５−ｃはまた、スローペイロードタイプモジュール８２５をも含み得る。ＵＥ１１５−ｃは、通信を送信するためのコンポーネントと通信を受信するためのコンポーネントとを含む、双方向音声およびデータ通信のためのコンポーネントを含み得る。たとえば、ＵＥ１１５−ｃは、基地局１０５−ｃまたはＵＥ１１５−ｄと双方向に通信し得る。
【００９８】
[0116]スローペイロードタイプモジュール８２５は、図２〜図４を参照しながら上記で説明したように、第１の制御チャネルメッセージ中で受信され得、さらにペイロードタイプを示し得る、第２の制御チャネルメッセージペイロードサイズのインジケーションを識別およびパースするように構成され得る。インジケーションは、上記の表１〜表３を参照しながら説明したように、ＳＰＩＢであり得る。いくつかの例では、ペイロードタイプは、ＲＢ割振りペイロードタイプ、ＭＣＳペイロードタイプ、ＣＳＩ要求ペイロードタイプ、またはそれらの組合せを含む。
【００９９】
[0117]ＵＥ１１５−ｃはまた、プロセッサモジュール８０５と、メモリ８１５（ソフトウェア（ＳＷ）８２０を含む）と、トランシーバモジュール８３５と、１つまたは複数のアンテナ８４０とを含み得、それらの各々は、（たとえば、バス８４５を介して）互いに直接的または間接的に通信し得る。トランシーバモジュール８３５は、上記で説明したように、アンテナ８４０またはワイヤードもしくはワイヤレスのリンクを介して、１つまたは複数のネットワークと双方向に通信し得る。たとえば、トランシーバモジュール８３５は、基地局１０５または別のＵＥ１１５と双方向に通信し得る。トランシーバモジュール８３５は、パケットを変調し、変調されたパケットを送信のためにアンテナ８４０に与え、アンテナ８４０から受信されたパケットを復調するためのモデムを含み得る。ＵＥ１１５−ｃは、単一のアンテナ８４０を含み得るが、ＵＥ１１５−ｃはまた、複数のワイヤレス送信を同時に送信または受信することができる複数のアンテナ８４０を有し得る。
【０１００】
[0118]メモリ８１５は、非一時的コンピュータ可読媒体の例であり得るランダムアクセスメモリ（ＲＡＭ）と読取り専用メモリ（ＲＯＭ）とを含み得る。メモリ８１５は、実行されたとき、プロセッサモジュール８０５に本明細書で説明する様々な機能（たとえば、ＤＣＩフラグとＤＣＩフォーマットサイズインジケータとを有する２段階ＰＤＣＣＨ、など）を実行させる命令を含むコンピュータ可読、コンピュータ実行可能ソフトウェア／ファームウェアコード８２０を記憶し得る。代替的に、ソフトウェア／ファームウェアコード８２０は、プロセッサモジュール８０５によって直接的に実行可能でないことがあるが、（たとえば、コンパイルされ実行されると）コンピュータに本明細書で説明する機能を実行させ得る。プロセッサモジュール８０５は、インテリジェントハードウェアデバイス（たとえば、中央処理装置（ＣＰＵ）、マイクロコントローラ、ＡＳＩＣなど）を含み得る。
【０１０１】
[0119]図９は、本開示の様々な態様による、ＤＣＩフラグとＤＣＩフォーマットサイズインジケータとを有する２段階ＰＤＣＣＨのために構成されたワイヤレスデバイス９００のブロック図を示す。ワイヤレスデバイス９００は、図１〜図４および図８を参照しながら説明した基地局１０５の態様の一例であり得る。ワイヤレスデバイス９００は、受信機９０５、基地局２段階制御チャネルモジュール９１０、または送信機９１５を含み得る。ワイヤレスデバイス９００はまた、プロセッサを含み得る。これらのコンポーネントの各々は互いと通信し得る。
【０１０２】
[0120]受信機９０５は、パケット、ユーザデータ、または様々な情報チャネルに関連する制御情報（たとえば、制御チャネル、データチャネル、およびＤＣＩフラグとＤＣＩフォーマットサイズインジケータとを有する２段階ＰＤＣＣＨに関する情報、など）などの情報を受信し得る。情報は、基地局２段階制御チャネルモジュール９１０に、およびワイヤレスデバイス９００の他のコンポーネントに受け渡され得る。
【０１０３】
[0121]基地局２段階制御チャネルモジュール９１０は、第２の制御チャネルメッセージがＴＴＩの間に送信されるべきかどうかに基づいて、ＴＴＩ内に第１の制御チャネルメッセージにフラグを追加するかどうかを決定するように構成され得る。加えて、そのような決定に基づいて、２段階制御チャネルモジュール９１０は、フラグおよびいくつかの例では第２の制御チャネルメッセージペイロードサイズのインジケーションを構成および／または生成することと、１つもしくは複数のＵＥへの送信のためにフラグおよび／またはインジケーションを第１の制御チャネルメッセージに追加することとを含み得る、第１の制御チャネルメッセージを構成および／または生成し得る。基地局２段階制御チャネルモジュール９１０はまた、第１の制御チャネルメッセージの中で示されるペイロードサイズに基づいて第２の制御チャネルメッセージを構成し得る。
【０１０４】
[0122]送信機９１５は、ワイヤレスデバイス９００の他のコンポーネントから受信された信号を送信し得る。いくつかの例では、送信機９１５は、トランシーバモジュールにおいて受信機９０５とコロケートされ得る。送信機９１５は単一のアンテナを含み得るか、または送信機９１５は複数のアンテナを含み得る。いくつかの例では、送信機９１５は、ＴＴＩ内に第１の制御チャネルメッセージを第１の帯域幅において送信し得る。一態様では、第１の帯域幅は、複数のＴＴＩにわたって一様なまたは静的な帯域幅であり得る。加えて、送信機９１５は、同じＴＴＩ（または後続のＴＴＩ）内で第２の帯域幅（たとえば、第１の帯域幅と異なる）において第２の制御チャネルメッセージを送信し得る。一態様では、第２の帯域幅は、第１の制御チャネルメッセージが送信される第１の帯域幅の静的な第１の帯域幅から、帯域幅オフセット値（または単に「帯域幅オフセット」）だけオフセットされ得る。いくつかの例では、帯域幅オフセットは、複数のＴＴＩにわたって一様であり得、そのことが、ＵＥ１１５が静的な第１の帯域幅に基づいて第２の帯域幅を識別することを可能にする。ＴＴＩは、別のＣＣのシンボルより短い持続時間のシンボルを有するｅＣＣのＴＴＩであり得る。
【０１０５】
[0123]さらに、いくつかの例では、送信機９１５は、１つまたは複数のＴＴＩに関連付けられたアグリゲーションレベルを送信し得る。このアグリゲーションレベルは、ＵＥが、第１の制御チャネルメッセージを取得するためにＴＴＩ内で復号することを試みるべき帯域幅またはリソース要素ロケーションをＵＥに示し得る。言い換えれば、アグリゲーションレベルは、第１の制御チャネルメッセージが受信され、ＵＥによって復号される１つまたは複数の候補帯域幅またはリソース要素を提供し得る。このアグリゲーションレベルを利用することによって、ＵＥは、レガシーＬＴＥと比べて、制御情報を復号するために必要なブラインド復号の数を低減し得る。
【０１０６】
[0124]いくつかの例では、受信機９１５は、第１の制御チャネルメッセージフォーマットおよび第１の送信周期性に基づいて第１の複数の制御チャネルメッセージを送信し得る。追加または代替として、送信機９１５は、第２の制御チャネルメッセージフォーマットおよび第２の送信周期性に基づいて第２の複数の制御チャネルメッセージを送信し得、ここで第１の送信周期性は、第２の送信周期性の周期性より低い。
【０１０７】
[0125]図１０は、本開示の様々な態様による、ＤＣＩフラグとＤＣＩフォーマットサイズインジケータとを有する２段階ＰＤＣＣＨのためのワイヤレスデバイス１０００のブロック図を示す。ワイヤレスデバイス１０００は、図１〜図４、図８および図９を参照しながら説明したワイヤレスデバイス９００または基地局１０５の態様の一例であり得る。ワイヤレスデバイス１０００は、受信機９０５−ａ、基地局２段階制御チャネルモジュール９１０−ａ、または送信機９１５−ａを含み得る。ワイヤレスデバイス１０００はまた、プロセッサを含み得る。これらのコンポーネントの各々は、互いと通信し得る。基地局２段階制御チャネルモジュール９１０−ａはまた、ＢＳファスト制御チャネルモジュール１００５とＢＳスロー制御チャネルモジュール１０１０とを含み得る。
【０１０８】
[0126]受信機９０５−ａは、基地局２段階制御チャネルモジュール９１０−ａに、およびワイヤレスデバイス１０００の他のコンポーネントに受け渡され得る情報を受信し得る。基地局２段階制御チャネルモジュール９１０−ａは、図９を参照しながら上記で説明した動作を実行し得る。送信機９１５−ａは、ワイヤレスデバイス１０００の他のコンポーネントから受信された信号を送信し得る。
【０１０９】
[0127]ＢＳファスト制御チャネルモジュール１００５は、たとえば、第２の制御チャネルメッセージがＴＴＩの間に送信されるべきかどうかに基づいて、ＴＴＩ内に第１の制御チャネルメッセージにフラグを追加するかどうかを決定するように構成され得る。そのような決定は、たとえば、第２の制御チャネルメッセージに関連付けられた１つまたは複数の情報フィールドの値が、これらの１つまたは複数の情報フィールドの前に送信された値から更新することを必要とするものと決定することを含み得る。加えて、ＢＳファスト制御チャネルモジュール１００５は、第２の制御チャネルメッセージがＴＴＩの間に送信されるべきであることを示すフラグを有する第１の制御チャネルメッセージ（たとえば、ファストＰＤＣＣＨ）を構成し得る。いくつかの例では、図２〜図４を参照しながら上記で説明したように、ＢＳファスト制御チャネルモジュール１００５はまた、第２の制御チャネルメッセージペイロードサイズのインジケーションを有する第１の制御チャネルメッセージを構成し得る。ＢＳスロー制御チャネルモジュール１０１０は、図２〜図４を参照しながら上記で説明したように、第１の制御チャネルメッセージ中に示されるかまたは示されるべきペイロードサイズにすべてまたは部分的に基づいて第２の制御チャネルメッセージ（たとえば、スローＰＤＣＣＨ）を構成し得る。
【０１１０】
[0128]図１１は、本開示の様々な態様による、ＤＣＩフラグとＤＣＩフォーマットサイズインジケータとを有する２段階ＰＤＣＣＨのための基地局２段階制御チャネルモジュール９１０−ｂのブロック図１１００を示す。基地局２段階制御チャネルモジュール９１０−ｂは、図９および図１０を参照しながら説明した基地局２段階制御チャネルモジュール９１０の態様の一例であり得る。基地局２段階制御チャネルモジュール９１０−ｂは、ＢＳファスト制御チャネルモジュール１００５−ａとＢＳスロー制御チャネルモジュール１０１０−ａとを含み得る。これらのモジュールの各々は、図１０を参照しながら上記で説明した機能を実行し得る。基地局２段階制御チャネルモジュール９１０−ｂはまた、ＢＳファストフォーマットモジュール１１０５と、ＢＳスローフォーマットモジュール１１１０と、ＢＳファスト情報モジュール１１１５と、ＢＳスロー情報モジュール１１２０とを含み得る。基地局２段階制御チャネルモジュール９１０−ｂのコンポーネントの各々は、互いに通信し得る。
【０１１１】
[0129]ＢＳファストフォーマットモジュール１１０５は、図２〜図４を参照しながら上記で説明したように、第１の送信周期性に従って送信のための第１の制御チャネルメッセージフォーマットを有する制御チャネルメッセージを構成し得る。ＢＳスローフォーマットモジュール１１１０は、図２〜図４を参照しながら上記で説明したように、第２の送信周期性に従って第２の制御チャネルメッセージフォーマットを有する制御チャネルメッセージを構成し得る。
【０１１２】
[0130]ＢＳファスト情報モジュール１１１５は、図２〜図４を参照しながら上記で説明したように、第１の更新レートに対応する情報フィールドの第１のセットを含み得る第１の制御チャネルメッセージフォーマットを有する制御チャネルメッセージを構成し得る。ＢＳスロー情報モジュール１１２０は、図２〜図４を参照しながら上記で説明したように、第２の更新レートに対応する情報フィールドの第２のセットを含み得る第２の制御チャネルメッセージフォーマットを有する制御チャネルメッセージを構成し得る。したがって、ＢＳファストフォーマットモジュール１１０５およびＢＳスローフォーマットモジュール１１１０は、他のＢＳファスト情報モジュール１１１５およびＢＳスロー情報モジュール１１２０とともに、ＰＤＣＣＨを分割するか、または２段階ＰＤＣＣＨ構成を利用することができる。
【０１１３】
[0131]ワイヤレスデバイス９００、ワイヤレスデバイス１０００、または基地局２段階制御チャネルモジュール９１０−ｂのコンポーネントはそれぞれ、適用可能な機能の一部または全部をハードウェアで実行するように適応された少なくとも１つのＡＳＩＣを用いて、個々にまたはまとめて実装され得る。代替的に、それらの機能は、１つまたは複数の他の処理ユニット（またはコア）によって、少なくとも１つのＩＣ上で実行され得る。他の実施形態では、当技術分野で知られている任意の様式でプログラムされ得る他のタイプの集積回路（たとえば、ストラクチャード／プラットフォームＡＳＩＣ、ＦＰＧＡ、または別のセミカスタムＩＣ）が使用され得る。各ユニットの機能はまた、全体的または部分的に、１つまたは複数の汎用または特定用途向けプロセッサによって実行されるようにフォーマットされた、メモリに組み込まれた命令を用いて実装され得る。
【０１１４】
[0132]図１２は、本開示の様々な態様による、ＤＣＩフラグとＤＣＩフォーマットサイズインジケータとを有する２段階ＰＤＣＣＨのために構成された基地局１０５を含むシステム１２００の図を示す。システム１２００は、図１、図２および図９〜図１１を参照しながら説明したワイヤレスデバイス９００、ワイヤレスデバイス１０００または基地局１０５の一例であり得る基地局１０５−ｄを含み得る。基地局１０５−ｄは、図９〜図１１を参照しながら説明した基地局２段階制御チャネルモジュール９１０の一例であり得る、基地局２段階制御チャネルモジュール１２１０を含み得る。基地局１０５−ｄはまた、通信を送信するためのコンポーネントと通信を受信するためのコンポーネントとを含む、双方向音声およびデータ通信のためのコンポーネントをも含み得る。たとえば、基地局１０５−ｄは、ＵＥ１１５−ｅおよび１１５−ｆと双方向に通信し得る。
【０１１５】
[0133]いくつかの場合には、基地局１０５−ｄは、１つまたは複数のワイヤードバックホールリンクを有し得る。基地局１０５−ｄは、コアネットワーク１３０−ａまでのワイヤードバックホールリンク（たとえば、Ｓ１インターフェースなど）を有し得る。基地局１０５−ｄはまた、基地局間バックホールリンク（たとえば、Ｘ２インターフェース）を介して基地局１０５−ｅおよび基地局１０５−ｆなど、他の基地局１０５とも通信し得る。基地局１０５の各々は、同じまたは異なるワイヤレス通信技術を使用してＵＥ１１５と通信することができる。場合によっては、基地局１０５−ｄは、基地局通信モジュール１２２５を利用して１０５−ｅまたは１０５−ｆなどの他の基地局と通信し得る。いくつかの例では、基地局通信モジュール１２２５は、基地局１０５のうちのいくつかの間の通信を行うために、ＬＴＥ／ＬＴＥ−Ａワイヤレス通信ネットワーク技術内のＸ２インターフェースを与え得る。いくつか例では、基地局１０５−ｄは、コアネットワーク１３０−ａを通じて他の基地局と通信することができる。いくつかの場合、基地局１０５−ｄは、ネットワーク通信モジュール１２３０を通じてコアネットワーク１３０−ａと通信することができる。
【０１１６】
[0134]基地局１０５−ｄは、プロセッサモジュール１２０５と、（ソフトウェア（ＳＷ）１２２０を含む）メモリ１２１５と、トランシーバモジュール１２３５と、アンテナ１２４０とを含み得、アンテナ１２４０はそれぞれ、（たとえば、バスシステム１２４５を介して）直接的または間接的に互いと通信し得る。トランシーバモジュール１２３５は、アンテナ１２４０を介して、マルチモードデバイスであり得るＵＥ１１５と双方向に通信するように構成され得る。トランシーバモジュール１２３５（または基地局１０５−ｄの他のコンポーネント）は、１つまたは複数の他の基地局（図示せず）と、アンテナ１２４０を介して双方向に通信するようにも構成され得る。トランシーバモジュール１２３５は、パケットを変調し、変調されたパケットを送信のためにアンテナ１２４０に提供することと、アンテナ１２４０から受信されたパケットを復調することとを行うように構成されたモデムを含み得る。基地局１０５−ｄは、各々が１つまたは複数の関連するアンテナ１２４０をもつ複数のトランシーバモジュール１２３５を含み得る。トランシーバモジュールは、図９の組み合わされた受信機９０５および送信機９１５の一例であり得る。
【０１１７】
[0135]メモリ１２１５は、非一時的コンピュータ可読媒体の例であり得るＲＡＭとＲＯＭとを含み得る。メモリ１２１５はまた、実行されたとき、プロセッサモジュール１２１０に本明細書で説明する様々な機能（たとえば、ＤＣＩフラグとＤＣＩフォーマットサイズインジケータとを有する２段階ＰＤＣＣＨ、カバレージ拡張技法を選択すること、呼処理、データベース管理、メッセージルーティングなど）を実行させるように構成された命令を含んでいるコンピュータ可読、コンピュータ実行可能ソフトウェアコード１２２０を記憶し得る。代替的に、ソフトウェア１２２０は、プロセッサモジュール１２０５によって直接的に実行可能でないことがあるが、たとえば、コンパイルされ実行されると、コンピュータに本明細書で説明する機能を実行させるように構成され得る。プロセッサモジュール１２０５は、インテリジェントハードウェアデバイス、たとえば、ＣＰＵ、マイクロコントローラ、ＡＳＩＣなどを含み得る。プロセッサモジュール１２０５は、エンコーダ、キュー処理モジュール、ベースバンドプロセッサ、無線ヘッドコントローラ、デジタル信号プロセッサ（ＤＳＰ）など、様々な専用プロセッサを含み得る。
【０１１８】
[0136]基地局通信モジュール１２２５は、他の基地局１０５との通信を管理し得る。通信管理モジュールは、他の基地局１０５と協働してＵＥ１１５との通信を制御するためのコントローラまたはスケジューラを含み得る。たとえば、基地局通信モジュール１２２５は、ビームフォーミングまたはジョイント送信などの様々な干渉緩和技法のためのＵＥ１１５への送信のためのスケジューリングを協調させ得る。
【０１１９】
[0137]図１３は、本開示の様々な態様による、ＤＣＩフラグとＤＣＩフォーマットサイズインジケータとを有する２段階ＰＤＣＣＨのための方法１３００を示すフローチャートを示す。方法１３００の動作は、図１〜図８を参照しながら説明したようにＵＥ１１５またはそれのコンポーネントによって実装され得る。たとえば、方法１３００の動作は、図５〜図８を参照しながら説明したように、２段階制御チャネルモジュール５１０によって実行され得る。いくつかの例では、ＵＥ１１５は、以下で説明する機能を実行するようにＵＥ１１５の機能要素を制御するためのコードのセットを実行し得る。追加または代替として、ＵＥ１１５は、専用ハードウェアを使用して、以下で説明する機能態様を実行し得る。
【０１２０】
[0138]ブロック１３０２において、ＵＥ１１５は、図２〜図４を参照しながら上記で説明したように、第１の制御チャネルメッセージを第１の帯域幅において送信時間間隔の間に受信し得る。いくつかの例では、ブロック１３０２の動作は、図６を参照しながら上記で説明したように、ファスト制御チャネルモジュール６０５によって実行され得る。
【０１２１】
[0139]ブロック１３０４において、ＵＥ１１５は、図２〜図４を参照しながら上記で説明したように、第２の制御チャネルメッセージがＴＴＩ内に存在するかどうかを、第１の制御チャネルメッセージ中のフラグに基づいて決定し得る。いくつかの例では、ブロック１３０４の動作は、図６を参照しながら上記で説明したように、ファスト制御チャネルモジュール６０５によって実行され得る。
【０１２２】
[0140]ブロック１３０６において、ＵＥ１１５は、図２〜図４を参照しながら上記で説明したように、第２の制御チャネルメッセージがＴＴＩに対して存在することをフラグが示す場合、第２の制御チャネルメッセージを、第２の帯域幅において受信し得る。一態様では、第２の帯域幅は、第１の制御チャネルメッセージが送信される第１の帯域幅の静的な第１の帯域幅から、帯域幅オフセット値（または単に「帯域幅オフセット」）だけオフセットされ得る。いくつかの例では、帯域幅オフセットは、複数のＴＴＩにわたって一様であり得、そのことが、ＵＥ１１５が静的な第１の帯域幅に基づいて第２の帯域幅を識別することを可能にする。いくつかの例では、ブロック１３０６の動作は、図６を参照しながら上記で説明したように、スロー制御チャネルモジュール６１０によって実行され得る。追加の随意の態様では、方法１３００は、第２の制御チャネルメッセージがＴＴＩに対して存在しないことを第１の制御チャネルメッセージが示す場合、ＴＴＩに対して前に受信された（たとえば、直近に受信された）第２の制御チャネルメッセージからの制御情報を利用することを含み得る。いくつかの例では、前に受信された第２の制御チャネルメッセージからの制御情報は、メモリに記憶され得、第２の制御チャネルメッセージ中の制御情報が特定のＴＴＩ内に含まれないことを第１の制御チャネルメッセージが示す場合にＴＴＩに対して利用される。
【０１２３】
[0141]さらに、（ブロック１３０８の破線で示される）随意の態様では、ブロック１３０８において、ＵＥ１１５は、図２〜図４を参照しながら上記で説明したように、第１の制御チャネルメッセージ中に示されるペイロードサイズに基づいて、第２の制御チャネルメッセージを識別し得る。いくつかの例では、ブロック１３０８の動作は、図６を参照しながら上記で説明したように、スロー制御チャネルモジュール６１０によって実行され得る。
【０１２４】
[0142]図１４は、本開示の様々な態様による、ＤＣＩフラグとＤＣＩフォーマットサイズインジケータとを有する２段階ＰＤＣＣＨのための方法１４００を示すフローチャートを示す。方法１４００の動作は、図１〜図８を参照しながら説明したように、ＵＥ１１５またはそれのコンポーネントによって実装され得る。たとえば、方法１４００の動作は、図５〜図８を参照しながら説明したように、２段階制御チャネルモジュール５１０によって実行され得る。いくつかの例では、ＵＥ１１５は、以下で説明する機能を実行するようにＵＥ１１５の機能要素を制御するためのコードのセットを実行し得る。追加または代替として、ＵＥ１１５は、専用ハードウェアを使用して、以下で説明する機能態様を実行し得る。方法１４００はまた、図１３の方法１３００の態様を組み込み得る。
【０１２５】
[0143]ブロック１４０５において、ＵＥ１１５は、図２〜図４を参照しながら上記で説明したように、第２の制御チャネルメッセージペイロードサイズのインジケーションを含む第１の制御チャネルメッセージをＴＴＩ内に受信し得る。いくつかの例では、第１の制御チャネルメッセージは、複数のＴＴＩにわたって一様であり得る第１の帯域幅において受信され得る。さらに、いくつかの例では、ＵＥ１１５は、ＴＴＩに関連付けられたアグリゲーションレベルを（たとえば、第１の制御チャネルメッセージを受信する前に受信されたメッセージの中で）受信し得る。このアグリゲーションレベルは、ＵＥが第１の制御チャネルメッセージを取得するためにＴＴＩ内で復号することを試みるべき帯域幅またはリソース要素ロケーションをＵＥに示し得る。言い換えれば、アグリゲーションレベルは、第１の制御チャネルメッセージが受信され、ＵＥによって復号される１つまたは複数の候補帯域幅またはリソース要素を提供し得る。いくつかの例では、ブロック１４０５の動作は、図５を参照しながら上記で説明したように、受信機５０５によって実行され得る。
【０１２６】
[0144]ブロック１４１０において、ＵＥ１１５は、図２〜図４を参照しながら上記で説明したように、第１の制御チャネルメッセージ中に示されるペイロードサイズに基づいて第２の制御チャネルメッセージを識別し得る。いくつかの例では、ブロック１４１０の動作は、図６を参照しながら上記で説明したように、スロー制御チャネルモジュール６１０によって実行され得る。
【０１２７】
[0145]ブロック１４１５において、ＵＥ１１５は、図２〜図４を参照しながら上記で説明したように、ＴＴＩまたは後続のＴＴＩ内で、第２の制御チャネルメッセージを受信し得る。いくつかの例では、ブロック１４１５の動作は、図５を参照しながら上記で説明したように、受信機５０５によって実行され得る。
【０１２８】
[0146]図１５は、本開示の様々な態様による、ＤＣＩフラグとＤＣＩフォーマットサイズインジケータとを有する２段階ＰＤＣＣＨのための方法１５００を示すフローチャートを示す。方法１５００の動作は、図１〜図８を参照しながら説明したように、ＵＥ１１５またはそれのコンポーネントによって実装され得る。たとえば、方法１５００の動作は、図５〜図８を参照しながら説明したように、２段階制御チャネルモジュール５１０または受信機５０５によって実行され得る。いくつかの例では、ＵＥ１１５は、以下で説明する機能を実行するようにＵＥ１１５の機能要素を制御するためのコードのセットを実行し得る。追加または代替として、ＵＥ１１５は、専用ハードウェアを使用して、以下で説明する機能態様を実行し得る。方法１５００はまた、図１３および図１４の方法１３００および方法１４００の態様を組み込み得る。
【０１２９】
[0147]ブロック１５０５において、ＵＥ１１５は、図２〜図４を参照しながら上記で説明したように、第１の制御チャネルメッセージフォーマットを有し、第２の制御チャネルメッセージペイロードサイズのインジケーションを含む、第１の制御チャネルメッセージを受信し得る。いくつかの例では、ブロック１５０５の動作は、図５を参照しながら上記で説明したように、受信機５０５によって実行され得る。
【０１３０】
[0148]ブロック１５１０において、ＵＥ１１５は、図２〜図４を参照しながら上記で説明したように、第１の制御チャネルメッセージ中に示されるペイロードサイズに基づいて、第２の制御チャネルメッセージフォーマットを有する第２の制御チャネルメッセージを識別し得る。いくつかの例では、ブロック１５１０の動作は、図６を参照しながら上記で説明したように、スロー制御チャネルモジュール６１０によって実行され得る。
【０１３１】
[0149]ブロック１５１５においてＵＥ１１５は、図２〜図４を参照しながら上記で説明したように、第１の制御チャネルメッセージフォーマットおよび第１の送信周期性に基づいて第１の複数の制御チャネルメッセージを受信し得る。いくつかの例では、ブロック１５１５の動作は、図５を参照しながら上記で説明したように、受信機５０５によって実行され得る。
【０１３２】
[0150]ブロック１５２０において、ＵＥ１１５は、図２〜図４を参照しながら上記で説明したように、第２の制御チャネルメッセージフォーマットおよび第２の送信周期性に基づいて第２の複数の制御チャネルメッセージを受信し得、ここで第１の送信周期性は、第２の送信周期性の周期性より低い。いくつかの例では、ブロック１５２０の動作は、図５を参照しながら上記で説明したように、受信機５０５によって実行され得る。
【０１３３】
[0151]図１６は、本開示の様々な態様による、ＤＣＩフラグとＤＣＩフォーマットサイズインジケータとを有する２段階ＰＤＣＣＨのための方法１６００を示すフローチャートを示す。方法１６００の動作は、図１〜図４および図９〜図１２を参照しながら説明したように、基地局１０５またはそれのコンポーネントによって実装され得る。たとえば、方法１６００の動作は、図９〜図１２を参照しながら説明したように、基地局２段階制御チャネルモジュール９１０または送信機９１５−ａによって実行され得る。いくつかの例では、基地局１０５は、以下で説明する機能を実行するように基地局１０５の機能要素を制御するためのコードのセットを実行し得る。追加または代替として、基地局１０５は、専用ハードウェアを使用して、以下で説明する機能態様を実行し得る。
【０１３４】
[0152]ブロック１６０５において、基地局１０５は、図２〜図４を参照しながら上記で説明したように、第２の制御チャネルメッセージがＴＴＩの間に送信されるべきかどうかに基づいて、ＴＴＩ内に第１の制御チャネルメッセージにフラグを追加するかどうかを決定し得る。一態様では、そのような決定は、第２の制御チャネルメッセージに関連付けられた１つまたは複数の情報フィールドの値が、前のＴＴＩ内に前の第２の制御チャネルメッセージの中で前に送信された１つまたは複数の情報フィールドを更新することを必要とするかどうかに基づき得る。いくつかの例では、ブロック１６０５の動作は、図１０を参照しながら上記で説明したように、ＢＳファスト制御チャネルモジュール１００５によって実行され得る。
【０１３５】
[0153]ブロック１６１０において、基地局１０５は、図２〜図４を参照しながら上記で説明したように、第１の帯域幅において第１の制御チャネルメッセージを送信し得る。いくつかの例では、基地局１０５は、第１の帯域幅をＵＥに示し得る１つまたは複数のＴＴＩに関連付けられたアグリゲーションレベルを、（たとえば、第１の制御チャネルメッセージの前に送信されたメッセージの中で）送信し得る。いくつかの例では、ブロック１６１０の動作は、図１０を参照しながら上記で説明したように、送信機９１５−ａによって実行され得る。
【０１３６】
[0154]図１７は、本開示の様々な態様による、ＤＣＩフラグとＤＣＩフォーマットサイズインジケータとを有する２段階ＰＤＣＣＨのための方法１７００を示すフローチャートを示す。方法１７００の動作は、図１〜図４および図９〜図１２を参照しながら説明したように、基地局１０５またはそれのコンポーネントによって実装され得る。たとえば、方法１７００の動作は、図９〜図１２を参照しながら説明したように、基地局２段階制御チャネルモジュール９１０によって実行され得る。いくつかの例では、基地局１０５は、以下で説明する機能を実行するように基地局１０５の機能要素を制御するためのコードのセットを実行し得る。追加または代替として、基地局１０５は、専用ハードウェアを使用して、以下で説明する機能態様を実行し得る。方法１７００はまた、図１６の方法１６００の態様を組み込み得る。
【０１３７】
[0155]ブロック１７０５において、基地局１０５は、図２〜図４を参照しながら上記で説明したように、第２の制御チャネルメッセージペイロードサイズのインジケーションを含む第１の制御チャネルメッセージを設定し得る。いくつかの例では、ブロック１７０５の動作は、図１０を参照しながら上記で説明したように、ＢＳファスト制御チャネルモジュール１００５によって実行され得る。
【０１３８】
[0156]ブロック１７１０において、基地局１０５は、図２〜図４を参照しながら上記で説明したように、第１の制御チャネルメッセージ中に示されるペイロードサイズに少なくとも部分的に基づいて第２の制御チャネルメッセージを設定し得る。いくつかの例では、ブロック１７１０の動作は、図１０を参照しながら上記で説明したように、ＢＳスロー制御チャネルモジュール１０１０によって実行され得る。
【０１３９】
[0157]ブロック１７１５において、基地局１０５は、図２〜図４を参照しながら上記で説明したように、ＴＴＩ内に第１の制御チャネルメッセージを送信し得る。いくつかの例では、ブロック１７１５の動作は、図９を参照しながら上記で説明したように、送信機９１５によって実行され得る。
【０１４０】
[0158]ブロック１７２０において、基地局１０５は、図２〜図４を参照しながら上記で説明したように、ＴＴＩまたは後続のＴＴＩ内に第２の制御チャネルメッセージを送信し得る。いくつかの例では、ブロック１７２０の動作は、図９を参照しながら上記で説明したように、送信機９１５によって実行され得る。
【０１４１】
[0159]図１８は、本開示の様々な態様による、ＤＣＩフラグとＤＣＩフォーマットサイズインジケータとを有する２段階ＰＤＣＣＨのための方法１８００を示すフローチャートを示す。方法１８００の動作は、図１〜図４および図９〜図１２を参照しながら説明したように、基地局１０５またはそれのコンポーネントによって実装され得る。たとえば、方法１８００の動作は、図９〜図１２を参照しながら説明したように、基地局２段階制御チャネルモジュール９１０によって実行され得る。いくつかの例では、基地局１０５は、以下で説明する機能を実行するように基地局１０５の機能要素を制御するためのコードのセットを実行し得る。追加または代替として、基地局１０５は、専用ハードウェアを使用して、以下で説明する機能態様を実行し得る。方法１８００はまた、図１６および図１７の方法１６００および１７００の態様を組み込み得る。
【０１４２】
[0160]ブロック１８０５において、基地局１０５は、図２〜図４を参照しながら上記で説明したように、第１の制御チャネルメッセージフォーマットと第２の制御チャネルメッセージペイロードサイズのインジケーションとを有する第１の制御チャネルメッセージを設定し得る。いくつかの例では、ブロック１８０５の動作は、図１０を参照しながら上記で説明したように、ＢＳファスト制御チャネルモジュール１００５によって実行され得る。
【０１４３】
[0161]ブロック１８１０において、基地局１０５は、図２〜図４を参照しながら上記で説明したように、第２の制御チャネルメッセージフォーマットを有する第２の制御チャネルメッセージを設定し得、第１の制御チャネルメッセージ中に示されるペイロードサイズに基づく。いくつかの例では、ブロック１８１０の動作は、図１０を参照しながら上記で説明したように、ＢＳスロー制御チャネルモジュール１０１０によって実行され得る。
【０１４４】
[0162]ブロック１８１５において、基地局１０５は、図２〜図４を参照しながら上記で説明したように、第１の制御チャネルメッセージフォーマットおよび第１の送信周期性に基づいて第１の複数の制御チャネルメッセージを送信し得る。いくつかの例では、ブロック１８１５の動作は、図９を参照しながら上記で説明したように、送信機９１５によって実行され得る。
【０１４５】
[0163]ブロック１８２０において、基地局１０５は、図２〜図４を参照しながら上記で説明したように、第２の制御チャネルメッセージフォーマットおよび第２の送信周期性に基づいて第２の複数の制御チャネルメッセージを送信し得、ここで第１の送信周期性は、第２の送信周期性の周期性より低い。いくつかの例では、ブロック１８２０の動作は、図９を参照しながら上記で説明したように、送信機９１５によって実行され得る。
【０１４６】
[0164]したがって、方法１３００、１４００、１５００、１６００、１７００および１８００は、ＤＣＩフラグとＤＣＩフォーマットサイズインジケータとを有する２段階ＰＤＣＣＨを提供し得る。しかしながら、方法１３００、１４００、１５００、１６００、１７００および１８００は可能な実装形態を表すこと、ならびに動作およびステップは、他の実装形態が可能であるように、並べ替えられるかまたは場合によっては変更され得ることに留意されたい。いくつかの例では、方法１３００、１４００、１５００、１６００、１７００および１８００のうちの２つ以上からの態様が組み合わされ得る。
【０１４７】
[0165]添付の図面に関して上記に記載した詳細な説明は、例示的な実施形態について説明しており、実装され得るまたは特許請求の範囲内に入るすべての実施形態を表すとは限らない。この説明で使用される「例示的」という用語は、「例、事例、または例示の働きをすること」を意味し、「好ましい」または「他の実施形態よりも有利な」を意味しない。発明を実施するための形態は、説明する技法の理解を与えるための具体的な詳細を含む。ただし、これらの技法は、これらの具体的な詳細なしに実践され得る。場合によっては、記載される実施形態の概念を不明瞭にすることを回避するために、よく知られている構造およびデバイスがブロック図の形態で示されている。
【０１４８】
[0166]情報および信号は、多種多様な技術および技法のいずれかを使用して表され得る。たとえば、上の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０１４９】
[0167]本明細書の開示に関して説明した様々な例示的なブロックおよびモジュールは、汎用プロセッサ、ＤＳＰ、ＡＳＩＣ、ＦＰＧＡまたは他のプログラマブル論理デバイス、個別ゲートまたはトランジスタ論理、個別ハードウェアコンポーネント、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ（たとえば、ＤＳＰとマイクロプロセッサとの組合せ、複数のマイクロプロセッサ、ＤＳＰコアと連携する１つまたは複数のマイクロプロセッサ、または任意の他のそのような構成）としても実装され得る。
【０１５０】
[0168]本明細書で説明する機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、またはコンピュータ可読媒体を介して送信され得る。他の例および実装形態は、本開示の範囲および添付の特許請求の範囲内に入る。たとえば、ソフトウェアの性質に起因して、上述された機能は、プロセッサ、ハードウェア、ファームウェア、ハードワイヤリング、またはこれらのいずれかの組合せによって実行されるソフトウェアを使用して実装され得る。機能を実装する特徴はまた、機能の部分が、異なる物理的ロケーションにおいて実装されるように分散されることを含めて、様々な位置に物理的に配置され得る。また、特許請求の範囲を含めて本明細書で使用される場合、項目の列挙（たとえば、「のうちの少なくとも１つ」あるいは「のうちの１つまたは複数」などの句で終わる項目の列挙）中で使用される「または」は、たとえば、Ａ、Ｂ、またはＣのうちの少なくとも１つの列挙が、ＡまたはＢまたはＣまたはＡＢまたはＡＣまたはＢＣまたはＡＢＣ（すなわち、ＡおよびＢおよびＣ）を意味するような包含的列挙を示す。
【０１５１】
[0169]コンピュータ可読媒体は、ある場所から別の場所へのコンピュータプログラムの転送を可能にする任意の媒体を含む、非一時的コンピュータ記憶媒体と通信媒体の両方を含む。非一時的記憶媒体は、汎用または専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ）、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の非一時的媒体であり得る。また、いかなる接続もコンピュータ可読媒体と適切に呼ばれる。たとえば、同軸ケーブル、光ファイバケーブル、ツイストペア、デジタル加入者線（ＤＳＬ）、または赤外線、無線、およびマイクロ波などのワイヤレス技術を使用して、ソフトウェアがウェブサイト、サーバまたは他のリモートソースから送信される場合、同軸ケーブル、光ファイバケーブル、ツイストペア、ＤＳＬ、または赤外線、無線、およびマイクロ波などワイヤレス技術は、媒体の定義に含まれる。本明細書で使用するディスク（disk）およびディスク（disc）は、ＣＤ、レーザーディスク（disc）、光ディスク（disc）、デジタル多用途ディスク（disc）（ＤＶＤ）、フロッピーディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１５２】
[0170]本開示の前述の説明は、当業者が本開示を作成または使用することができるように与えたものである。本開示への様々な修正は当業者には容易に明らかとなり、本明細書で定義される一般原理は、本開示の範囲から逸脱することなく他の変形形態に適用され得る。したがって、本開示は、本明細書で説明した例および設計に限定されるべきでなく、本明細書で開示した原理および新規の特徴に一致する最も広い範囲を与えられるべきである。
【０１５３】
[0171]本明細書で説明した技法は、符号分割多元接続（ＣＤＭＡ）、時分割多元接続（ＴＤＭＡ）、周波数分割多重化（ＦＤＭ）Ａ、ＯＦＤＭＡ、ＳＣ−ＦＤＭＡ、および他のシステムなど、様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ：Universal Terrestrial Radio Access）などのような無線技術を実装し得る。ＣＤＭＡ２０００は、ＩＳ−２０００、ＩＳ−９５、およびＩＳ−８５６規格をカバーする。ＩＳ−２０００  Ｒｅｌｅａｓｅ０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、Ｈｉｇｈ  Ｒａｔｅ  Ｐａｃｋｅｔ  Ｄａｔａ（ＨＲＰＤ）などと呼ばれる。ＵＴＲＡは、広帯域ＣＤＭＡ（ＷＣＤＭＡ（登録商標））とＣＤＭＡの他の変形とを含む。ＴＤＭＡシステムは、モバイル通信用グローバルシステム（ＧＳＭ（登録商標）：Global System for Mobile Communications）のような無線技術を実装し得る。ＯＦＤＭＡシステムは、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションズシステム（ＵＭＴＳ：Universal Mobile Telecommunications system）の一部である。３ＧＰＰロングタームエボリューション（ＬＴＥ）およびＬＴＥアドバンスト（ＬＴＥ−Ａ）は、Ｅ−ＵＴＲＡを使用するユニバーサルモバイルテレコミュニケーションズシステム（ＵＭＴＳ）の新しいリリースである。ＵＴＲＡ、Ｅ−ＵＴＲＡ、ＵＭＴＳ、ＬＴＥ、ＬＴＥ−Ａ、およびモバイル通信用グローバルシステム（ＧＳＭ）は、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書に記載される技法は、上述のシステムおよび無線技術、ならびに他のシステムおよび無線技術に使用される場合がある。しかしながら、上記の説明は、例としてＬＴＥシステムを記載し、上記の説明の大部分においてＬＴＥ用語が使用されるが、本技法はＬＴＥの適用例以外に適用可能である。
【図１】
2017539128.tif 000006
【図２】
2017539128.tif 000007
【図３Ａ】
2017539128.tif 000008
【図３Ｂ】
2017539128.tif 000009
【図４】
2017539128.tif 000010
【図５】
2017539128.tif 000011
【図６】
2017539128.tif 000012
【図７】
2017539128.tif 000013
【図８】
2017539128.tif 000014
【図９】
2017539128.tif 000015
【図１０】
2017539128.tif 000016
【図１１】
2017539128.tif 000017
【図１２】
2017539128.tif 000018
【図１３】
2017539128.tif 000019
【図１４】
2017539128.tif 000020
【図１５】
2017539128.tif 000021
【図１６】
2017539128.tif 000022
【図１７】
2017539128.tif 000023
【図１８】
2017539128.tif 000024
【国際調査報告】
2017539128.tif 000025
2017539128.tif 000026
2017539128.tif 000027